(57)【要約】【課題】情報記録媒体に記録された情報へのアクセス時間を短縮する。【解決手段】記録装置１は、ＲＯＭ層に記録されている情報である登録情報の少なくとも一部として読み出された少なくとも１つの抽出情報を受信する送受信部２７と、送受信部２７が受信した抽出情報を、ＲＥ層に記録させる記録制御部２５と、を備える。また、再生装置２は、ＲＯＭ層に記録されている情報である登録情報の少なくとも一部を抽出情報として読み出す再生制御部５１と、再生制御部５１が読み出した抽出情報を、ＲＥ層に記録するための記録装置１に送信する送受信部５７と、を備える。【選択図】図１
2011113582.tif 000002
【特許請求の範囲】
【請求項１】
情報を読み出すことのみ可能な第１情報記録層と、情報を追記録可能な又は情報を書き換えることが可能な第２情報記録層と、を少なくとも備えた情報記録媒体に対して情報の記録を行う記録装置であって、
上記第１情報記録層に記録されている情報である登録情報の少なくとも一部として読み出された抽出情報を受信する受信手段と、
上記受信手段が受信した抽出情報を、上記第２情報記録層に記録させる記録制御手段と、を備えることを特徴とする記録装置。
【請求項２】
上記第１情報記録層には、上記登録情報が圧縮されて記録されており、
上記受信手段が受信した抽出情報を解凍する解凍手段を備え、
上記記録制御手段は、上記解凍手段が解凍した非圧縮の抽出情報を、上記第２情報記録層に記録させることを特徴とする請求項１に記載の記録装置。
【請求項３】
上記第１情報記録層には、上記登録情報が圧縮されて記録されており、
上記受信手段は、上記登録情報の少なくとも一部として読み出された抽出情報が解凍された非圧縮の抽出情報を受信し、
上記記録制御手段は、上記非圧縮の抽出情報を上記第２情報記録層に記録させることを特徴とする請求項１に記載の記録装置。
【請求項４】
上記第１情報記録層には、上記登録情報が圧縮されて記録されており、
上記記録制御手段は、上記登録情報の一部として読み出された抽出情報を解凍するための解凍プログラムを、上記第２情報記録層に記録させることを特徴とする請求項１から３の何れか１項に記載の記録装置。
【請求項５】
上記受信手段は、上記第２情報記録層から読み出された抽出情報を受信するものであり、
上記受信手段が受信した抽出情報に含まれる、当該抽出情報が読み出された回数を示す回数情報を参照して、当該回数が多い順に抽出情報が読み出されるように、上記第２情報記録層における抽出情報の記録位置を決定する決定手段を備え、
上記記録制御手段は、上記決定手段が決定した記録位置に上記抽出情報を記録させることを特徴とする請求項１から４の何れか１項に記載の記録装置。
【請求項６】
上記受信手段は、上記第２情報記録層に記録されている抽出情報が読み出された回数が多い順に読み出されるように決定された、上記第２情報記録層における抽出情報の記録位置を示す位置情報を受信し、
上記記録制御手段は、上記受信手段が受信した位置情報に基づいて、上記抽出情報を記録させることを特徴とする請求項１から４の何れか１項に記載の記録装置。
【請求項７】
上記受信手段が受信した抽出情報に、当該抽出情報の外部での利用を制限するための鍵情報を付与する鍵情報付与手段を備え、
上記記録制御手段は、上記鍵情報付与手段が鍵情報を付与した抽出情報を、上記第２情報記録層に記録させることを特徴とする請求項１から６の何れか１項に記載の記録装置。
【請求項８】
上記受信手段は、当該抽出情報の外部での利用を制限するための鍵情報が付与された抽出情報を受信し、
上記記録制御手段は、上記受信手段が受信した、上記鍵情報が付与された抽出情報を、上記第２情報記録層に記録させることを特徴とする請求項１から６の何れか１項に記載の記録装置。
【請求項９】
上記情報記録媒体は、光が照射されることにより情報の記録または再生が行われる光情報記録媒体であり、上記第２情報記録層の、当該第２情報記録層が再生されるときに最初に再生光が照射される領域であるリードイン領域を備え、
上記記録制御手段は、上記抽出情報を記録させる上記第２情報記録層の記録位置を示す位置情報を、上記リードイン領域に記録させることを特徴とする請求項１から８の何れか１項に記載の記録装置。
【請求項１０】
上記記録制御手段は、上記登録情報として追加可能な追加情報を上記第２情報記録層に記録させることを特徴とする請求項１から９の何れか１項に記載の記録装置。
【請求項１１】
情報を読み出すことのみ可能な第１情報記録層と、情報を追記録可能な又は情報を書き換えることが可能な第２情報記録層と、を少なくとも備えた情報記録媒体に対して情報の記録を行う記録装置の制御方法であって、
上記第１情報記録層に記録されている情報である登録情報の少なくとも一部として読み出された抽出情報を受信する受信ステップと、
上記受信ステップにて受信した抽出情報を、上記第２情報記録層に記録させる記録制御ステップと、を含むことを特徴とする記録装置の制御方法。
【請求項１２】
情報を読み出すことのみ可能な第１情報記録層と、情報を追記録可能な又は情報を書き換えることが可能な第２情報記録層と、を少なくとも備えた情報記録媒体に対して情報の再生を行う再生装置であって、
上記第１情報記録層に記録されている情報である登録情報の少なくとも一部を抽出情報として読み出す再生制御手段と、
上記再生制御手段が読み出した抽出情報を、上記第２情報記録層に記録するための記録装置に送信する送信手段と、を備えることを特徴とする再生装置。
【請求項１３】
上記第１情報記録層には、上記登録情報が圧縮されて記録されており、
上記再生制御手段が読み出した抽出情報を解凍する解凍手段を備え、
上記送信手段は、上記解凍手段が解凍した非圧縮の抽出情報を送信することを特徴とする請求項１２に記載の再生装置。
【請求項１４】
上記再生制御手段は、上記第１情報記録層に記録されている抽出情報を読み出す前に、上記第２情報記録層に記録されている抽出情報を読み出すことを特徴とする請求項１２または１３に記載の再生装置。
【請求項１５】
上記再生制御手段は、上記第２情報記録層に記録されている抽出情報を読み出すものであり、
上記再生制御手段が読み出した抽出情報に含まれる、当該抽出情報が読み出された回数を示す回数情報を参照して、当該回数が多い順に抽出情報が読み出されるように、上記第２情報記録層における抽出情報の記録位置を決定する決定手段を備え、
上記送信手段は、上記決定手段が決定した記録位置を位置情報として送信することを特徴とする請求項１２から１４の何れか１項に記載の再生装置。
【請求項１６】
上記再生制御手段が読み出した抽出情報に、当該抽出情報の外部での利用を制限するための鍵情報を付与する鍵情報付与手段を備え、
上記送信手段は、上記鍵情報付与手段が上記鍵情報を付与した抽出情報を送信することを特徴とする請求項１２から１５の何れか１項に記載の再生装置。
【請求項１７】
情報を読み出すことのみ可能な第１情報記録層と、情報を追記録可能な又は情報を書き換えることが可能な第２情報記録層と、を少なくとも備えた情報記録媒体に対して情報の再生を行う再生装置の制御方法であって、
上記第１情報記録層に記録されている情報である登録情報の少なくとも一部を抽出情報として読み出す再生制御ステップと、
上記再生制御ステップにて読み出した抽出情報を、上記第２情報記録層に記録するための記録装置に送信する送信ステップと、を含むことを特徴とする再生装置の制御方法。
【請求項１８】
情報を読み出すことのみ可能な第１情報記録層と、情報を追記録可能な又は情報を書き換えることが可能な第２情報記録層と、を少なくとも備えた情報記録媒体であって、
上記第１情報記録層には、登録情報が記録されており、
上記第２情報記録層には、上記登録情報の少なくとも一部である抽出情報が記録されることを特徴とする情報記録媒体。
【請求項１９】
上記第１情報記録層に記録されている登録情報は、圧縮された情報であることを特徴とする請求項１８に記載の情報記録媒体。
【請求項２０】
上記第２情報記録層に記録される抽出情報は、非圧縮の情報であることを特徴とする請求項１８または１９に記載の情報記録媒体。
【請求項２１】
上記第１情報記録層には、当該第１情報記録層に記録されている登録情報の少なくとも一部である抽出情報を解凍するための解凍プログラムが記録されていることを特徴とする請求項１８から２０の何れか１項に記載の情報記録媒体。
【請求項２２】
上記第２情報記録層には、上記第１情報記録層に記録されている登録情報の少なくとも一部である抽出情報を解凍するための解凍プログラムが記録されることを特徴とする請求項１８から２１の何れか１項に記載の情報記録媒体。
【請求項２３】
上記第２情報記録層には、読み出された回数が多い抽出情報から順にその内周側から記録されることを特徴とする請求項１８から２２の何れか１項に記載の情報記録媒体。
【請求項２４】
上記第２情報記録層に記録される抽出情報には、当該抽出情報の外部での利用を制限するための鍵情報が付与されていることを特徴とする請求項１８から２３の何れか１項に記載の情報記録媒体。
【請求項２５】
光が照射されることにより情報の記録または再生が行われる光情報記録媒体であり、
上記第２情報記録層の、当該第２情報記録層が再生されるときに最初に再生光が照射される領域であるリードイン領域を備え、
上記リードイン領域には、上記抽出情報が記録される上記第２情報記録層の記録位置を示す位置情報が記録されることを特徴とする請求項１８から２４の何れか１項に記載の情報記録媒体。
【請求項２６】
上記第２情報記録層には、上記登録情報として追加可能な追加情報が記録されることを特徴とする請求項１８から２５の何れか１項に記載の情報記録媒体。
【請求項２７】
光が照射されることにより情報の記録または再生が行われる光情報記録媒体であることを特徴とする請求項１８から２６の何れか１項に記載の情報記録媒体。
【請求項２８】
上記第１情報記録層に記録されている登録情報は、氏名を示す氏名情報、企業名称を示す企業名情報、住所を示す住所情報、電話番号を示す電話番号情報、および、電子メールのアドレスを示すメールアドレス情報のうち少なくとも２つが対応付けられた情報であることを特徴とする請求項１８から２７の何れか１項に記載の情報記録媒体。
【請求項２９】
上記第１情報記録層に記録されている登録情報は、コンテンツであることを特徴とする請求項１８から２８の何れか１項に記載の情報記録媒体。
【請求項３０】
請求項１から１０の何れか１項に記載の記録装置により用いられる請求項１８から２９の何れか１項に記載の情報記録媒体。
【請求項３１】
請求項１２から１６の何れか１項に記載の再生装置により用いられる請求項１８から２９の何れか１項に記載の情報記録媒体。
【請求項３２】
請求項１から１０の何れか１項に記載の記録装置と、
請求項１２から１６の何れか１項に記載の再生装置と、を備える記録再生システム。
【発明の詳細な説明】
【技術分野】
【０００１】
本発明は、情報記録媒体に記録された情報へのアクセス時間を短縮することが可能な記録装置などに関するものである。
【背景技術】
【０００２】
従来、電話帳（加入者の電話番号、住所、氏名など）を電子化した電話帳データなどの大容量データを記録したＣＤ−ＲＯＭ（Compact Disk - Read Only Memory）が流通しており、このＣＤ−ＲＯＭを検索装置などに挿入することにより、電話番号検索などを行っていた。
【０００３】
しかし、ＣＤ−ＲＯＭは、読み出し専用であるため、新規データ（例えば新規加入者の情報）の書き込みを行うことができなかった。また、ＣＤ−ＲＯＭの記録容量は例えば６４０ＭＢ（メガバイト）であるため、例えば日本全国版の電話帳データを収納する場合には、当該電話帳データを数枚に分割して記録しており、１枚に記録することができなかった。
【０００４】
そこで、ユーザの利便性を向上させるために、追加情報の書き込みを可能にする技術や、１枚のディスクに収納可能な技術が開発されてきた。その技術として、例えば特許文献１および２が挙げられる。
【０００５】
特許文献１には、電話帳データが記録されたＲＯＭ領域と、新規追加電話帳情報を記録可能なＲＡＭ領域とを備えた光ディスク（パーシャルＲＯＭを備えた光ディスク）が開示されている。この光ディスクを用いることにより、新規データの追加を行うことができる。また、ＲＯＭ領域に記録されている既登録データのインデックス情報と、ＲＡＭ領域に記録されている追加データのインデックス情報とから１つのインデックス情報を構築することで、光ディスク内にある電話帳データの検索時間を短縮することができる。
【０００６】
また、特許文献２には、電話帳データを分割および圧縮を行った複数の圧縮済み分割ファイルをマージして１つの圧縮済みファイルを作成し、この圧縮済みファイルを電話帳データとして記録するデータ記録方式が開示されている。この方式を用いることにより、１枚の光ディスク（ＣＤ−ＲＯＭ）への記録を行うことができ、また、データ伸張時間を短縮することができる。さらに、この光ディスクには、圧縮済み分割ファイル毎に作成されたインデックス情報を当該分割ファイルとは別の領域に記録しておくことで、個々のデータの解凍時間を短縮することができ、ひいては検索時間を短縮することができる。
【先行技術文献】
【特許文献】
【０００７】
【特許文献１】特開平８−３１４９７８号公報（１９９６年１１月２９日公開）
【特許文献２】特開平１０−１４３４０４号公報（１９９８年５月２９日公開）
【発明の概要】
【発明が解決しようとする課題】
【０００８】
しかしながら、特許文献１では、新規データを含む電話帳データが記録された光ディスクを電話機に挿入することにより利用することを前提としている。このため、特許文献１の技術は、検索対象となるデータは１件でよいため、１件分の検索時間を短縮することを想定したものであり、複数のデータが１度に検索されることを想定していない。
【０００９】
このため、特許文献１の技術を用いて複数のデータを１度に検索する場合（例えば１００万件のデータから１０００件のデータを抽出したい場合）には、検索を１件ずつ行っていくことになるため、検索する件数分だけ検索時間がかかってしまうという問題が生じていた。つまり、特許文献１の技術では、１度に検索対象となるデータの件数によらず、検索時間の短縮を図ることが困難であるという問題が生じていた。
【００１０】
なお、特許文献２では、大容量データのすべてを圧縮して記録しているので、当該データを読み出すときには必ず解凍する必要がある（解凍プロセスが必要となる）。このため、検索によりデータを読み出すときにこの解凍プロセスが必ず行われるので、その分検索時間がかかってしまうという問題があった。
【００１１】
本発明は、上記の問題を解決するためになされたもので、その目的は、情報記録媒体に記録された情報へのアクセス時間を短縮することが可能な記録装置、記録装置の制御方法、再生装置、再生装置の制御方法、情報記録媒体および記録再生システムを提供することにある。
【課題を解決するための手段】
【００１２】
本発明に係る記録装置は、上記の課題を解決するために、情報を読み出すことのみ可能な第１情報記録層と、情報を追記録可能な又は情報を書き換えることが可能な第２情報記録層と、を少なくとも備えた情報記録媒体に対して情報の記録を行う記録装置であって、上記第１情報記録層に記録されている情報である登録情報の少なくとも一部として読み出された抽出情報を受信する受信手段と、上記受信手段が受信した抽出情報を、上記第２情報記録層に記録させる記録制御手段と、を備えることを特徴としている。
【００１３】
本発明に係る記録装置の制御方法は、上記の課題を解決するために、情報を読み出すことのみ可能な第１情報記録層と、情報を追記録可能な又は情報を書き換えることが可能な第２情報記録層と、を少なくとも備えた情報記録媒体に対して情報の記録を行う記録装置の制御方法であって、上記第１情報記録層に記録されている情報である登録情報の少なくとも一部として読み出された抽出情報を受信する受信ステップと、上記受信ステップにて受信した抽出情報を、上記第２情報記録層に記録させる記録制御ステップと、を含むことを特徴としている。
【００１４】
上記構成によれば、記録制御手段（記録制御ステップ）は、受信手段（受信ステップ）が受信した、第１情報記録層に記録されている登録情報の少なくとも一部として読み出された抽出情報を、第２情報記録層に記録させる。
【００１５】
このため、例えば検索などにより再度この抽出情報が読み出される場合には、抽出情報の集まりである登録情報が記録されている第１情報記録層からではなく、一度読み出された抽出情報が記録されている第２情報記録層から読み出すことにより、その抽出情報の読み出し（検索なども）を早く行うことができる。すなわち、例えば同じ検索条件などにより読み出される可能性（利用可能性）が高い抽出情報を、登録情報が記録されている第１情報記録層とは別の第２情報記録層に記録することができ、ひいては登録情報（抽出情報）の読み出しをより早く行うことができる。
【００１６】
つまり、本発明の記録装置（記録装置の制御方法）は、情報記録媒体に記録された情報へのアクセス時間を短縮することができるという効果を奏する。
【００１７】
本発明に係る記録装置は、上記第１情報記録層には、上記登録情報が圧縮されて記録されており、上記受信手段が受信した抽出情報を解凍する解凍手段を備え、上記記録制御手段は、上記解凍手段が解凍した非圧縮の抽出情報を、上記第２情報記録層に記録させることが好ましい。
【００１８】
上記構成によれば、解凍手段が、受信手段が受信した、圧縮されている抽出情報を解凍し、記録制御手段が、解凍して非圧縮となった抽出情報を第２情報記録層に記録させる。このため、一度読み出された抽出情報を、第２情報記録層から読み出すたびに解凍する必要がないので、その分、抽出情報に対するアクセス（抽出情報に対する処理を行うまでの処理）を早く行うことができる。
【００１９】
本発明に係る記録装置では、上記第１情報記録層には、上記登録情報が圧縮されて記録されており、上記受信手段は、上記登録情報の少なくとも一部として読み出された抽出情報が解凍された非圧縮の抽出情報を受信し、上記記録制御手段は、上記非圧縮の抽出情報を上記第２情報記録層に記録させることが好ましい。
【００２０】
上記構成によれば、記録制御手段は、受信手段が受信した、解凍された非圧縮の抽出情報を第２情報記録層に記録させる。このため、一度読み出された抽出情報を、第２情報記録層から読み出すたびに解凍する必要がないので、その分、抽出情報に対するアクセス（抽出情報に対する処理を行うまでの処理）を早く行うことができる。
【００２１】
本発明に係る記録装置では、上記第１情報記録層には、上記登録情報が圧縮されて記録されており、上記記録制御手段は、上記登録情報の一部として読み出された抽出情報を解凍するための解凍プログラムを、上記第２情報記録層に記録させることが好ましい。
【００２２】
上記構成によれば、登録情報が圧縮して記録されている情報記録媒体に解凍プログラムを記録することができるので、この情報記録媒体を利用するだけで（すなわち、解凍プログラムを記録装置が有していなくても、または、解凍プログラムを外部から取得することなく）、登録情報の一部として読み出された抽出情報を解凍することができる。
【００２３】
これにより、ユーザはこの情報記録媒体を持ち運ぶだけで、圧縮された登録情報を利用することができる。また、情報記録媒体に解凍プログラムを記録することにより、登録情報の容易な管理を実現することができる。
【００２４】
本発明に係る記録装置では、上記受信手段は、上記第２情報記録層から読み出された抽出情報を受信するものであり、上記受信手段が受信した抽出情報に含まれる、当該抽出情報が読み出された回数を示す回数情報を参照して、当該回数が多い順に抽出情報が読み出されるように、上記第２情報記録層における抽出情報の記録位置を決定する決定手段を備え、上記記録制御手段は、上記決定手段が決定した記録位置に上記抽出情報を記録させることが好ましい。
【００２５】
上記構成によれば、決定手段が、抽出情報が読み出された回数の多い順に読み出されるように、第２情報記録層における抽出情報の記録位置を決定し、記録制御手段がその記録位置に抽出情報を記録させる。このため、読み出された頻度（例えば検索頻度）の高い抽出情報から読み出させる（すなわちユーザが読み出す可能性が高い抽出情報から読み出させる）ことができるので、ユーザの利便性を向上させることができる。
【００２６】
本発明に係る記録装置では、上記受信手段は、上記第２情報記録層に記録されている抽出情報が読み出された回数が多い順に読み出されるように決定された、上記第２情報記録層における抽出情報の記録位置を示す位置情報を受信し、上記記録制御手段は、上記受信手段が受信した位置情報に基づいて、上記抽出情報を記録させることが好ましい。
【００２７】
上記構成によれば、受信手段が、抽出情報が読み出された回数の多い順に読み出されるように決定された、第２情報記録層における抽出情報の記録位置を示す位置情報を受信し、記録制御手段が、この位置情報に基づいて抽出情報を記録させる。このため、読み出された頻度の高い抽出情報から読み出させることができるので、ユーザの利便性を向上させることができる。
【００２８】
本発明に係る記録装置は、上記受信手段が受信した抽出情報に、当該抽出情報の外部での利用を制限するための鍵情報を付与する鍵情報付与手段を備え、上記記録制御手段は、上記鍵情報付与手段が鍵情報を付与した抽出情報を、上記第２情報記録層に記録させることが好ましい。
【００２９】
上記構成によれば、鍵情報付与手段が、受信手段が受信した抽出情報に鍵情報を付与し、記録制御手段が、鍵情報が付与された抽出情報を第２情報記録層に記録させる。このため、次にこの抽出情報を利用する装置では、例えば鍵情報の認証などを行う必要がある。
【００３０】
つまり、第１情報記録層から読み出された抽出情報を情報記録媒体内で閉じて使用することができる（抽出情報の外部での利用を制限することができる）ので、第１情報記録層に記録されている登録情報の利用に際して、そのセキュリティーを担保することができる。
【００３１】
本発明に係る記録装置では、上記受信手段は、当該抽出情報の外部での利用を制限するための鍵情報が付与された抽出情報を受信し、上記記録制御手段は、上記受信手段が受信した、上記鍵情報が付与された抽出情報を、上記第２情報記録層に記録させることが好ましい。
【００３２】
上記構成によれば、記録制御手段は、受信手段が受信した、鍵情報が付与された抽出情報を第２情報記録層に記録させる。このため、次にこの抽出情報を利用する装置では、例えば鍵情報の認証などを行う必要がある。
【００３３】
つまり、第１情報記録層から読み出された抽出情報を情報記録媒体内で閉じて使用することができる（抽出情報の外部での利用を制限することができる）ので、第１情報記録層に記録されている登録情報の利用に際して、そのセキュリティーを担保することができる。
【００３４】
本発明に係る記録装置では、上記情報記録媒体は、光が照射されることにより情報の記録または再生が行われる光情報記録媒体であり、上記第２情報記録層の、当該第２情報記録層が再生されるときに最初に再生光が照射される領域であるリードイン領域を備え、上記記録制御手段は、上記抽出情報を記録させる上記第２情報記録層の記録位置を示す位置情報を、上記リードイン領域に記録させることが好ましい。
【００３５】
上記構成によれば、情報記録媒体のリードイン領域に抽出情報の記録位置を示す位置情報が記録されている。このため、情報記録媒体を利用するときに、その記録位置を読み出させることができるので、その記録位置に対応する抽出情報を引き続き（自動的に）読み出させることができる。
【００３６】
本発明に係る記録装置では、上記記録制御手段は、上記登録情報として追加可能な追加情報を上記第２情報記録層に記録させることが好ましい。
【００３７】
上記構成によれば、記録制御手段は、例えばユーザ操作や外部のネットワークなどから取得した登録情報としての追加情報を第２情報記録層に記録させる。このため、登録情報が記録された情報記録媒体にて追加情報を一元管理させることができ、ユーザの利便性を向上させることができる。
【００３８】
本発明に係る再生装置は、上記の課題を解決するために、情報を読み出すことのみ可能な第１情報記録層と、情報を追記録可能な又は情報を書き換えることが可能な第２情報記録層と、を少なくとも備えた情報記録媒体に対して情報の再生を行う再生装置であって、上記第１情報記録層に記録されている情報である登録情報の少なくとも一部を抽出情報として読み出す再生制御手段と、上記再生制御手段が読み出した抽出情報を、上記第２情報記録層に記録するための記録装置に送信する送信手段と、を備えることを特徴としている。
【００３９】
本発明に係る再生装置の制御方法は、上記の課題を解決するために、情報を読み出すことのみ可能な第１情報記録層と、情報を追記録可能な又は情報を書き換えることが可能な第２情報記録層と、を少なくとも備えた情報記録媒体に対して情報の再生を行う再生装置の制御方法であって、上記第１情報記録層に記録されている情報である登録情報の少なくとも一部を抽出情報として読み出す再生制御ステップと、上記再生制御ステップにて読み出した抽出情報を、上記第２情報記録層に記録するための記録装置に送信する送信ステップと、を含むことを特徴としている。
【００４０】
上記構成によれば、送信手段（送信ステップ）は、再生制御手段が読み出した、第１情報記録層に記録されている登録情報の少なくとも一部である抽出情報を、第２情報記録層に記録するための記録装置に送信する。
【００４１】
このため、例えば検索などにより再度この抽出情報が読み出される場合には、抽出情報の集まりである登録情報が記録されている第１情報記録層からではなく、一度読み出された抽出情報が記録されている第２情報記録層から読み出すことにより、その抽出情報の読み出し（検索なども）を早く行うことができる。すなわち、例えば同じ検索条件などにより読み出される可能性（利用可能性）が高い抽出情報を、登録情報が記録されている第１情報記録層とは別の第２情報記録層に記録させることができ、ひいては登録情報（抽出情報）の読み出しをより早く行うことができる。
【００４２】
つまり、本発明の再生装置（再生装置の制御方法）は、情報記録媒体に記録された情報へのアクセス時間を短縮することができるという効果を奏する。
【００４３】
本発明に係る再生装置は、上記第１情報記録層には、上記登録情報が圧縮されて記録されており、上記再生制御手段が読み出した抽出情報を解凍する解凍手段を備え、上記送信手段は、上記解凍手段が解凍した非圧縮の抽出情報を送信することが好ましい。
【００４４】
上記構成によれば、解凍手段が、再生制御手段が読み出した、圧縮されている抽出情報を解凍し、送信手段が、解凍して非圧縮となった抽出情報を記録装置に送信する。このため、一度読み出された抽出情報を、第２情報記録層から読み出すたびに解凍する必要がないので、その分、抽出情報に対するアクセス（抽出情報に対する処理を行うまでの処理）を早く行うことができる。
【００４５】
本発明に係る再生装置では、上記再生制御手段は、上記第１情報記録層に記録されている抽出情報を読み出す前に、上記第２情報記録層に記録されている抽出情報を読み出すことが好ましい。
【００４６】
上記構成によれば、第２情報記録層に記録されている抽出情報を、第１情報記録層に記録されている抽出情報の前に読み出す。つまり、例えば検索などにより抽出情報が読み出される場合には、抽出情報の集まりである登録情報が記録されている第１情報記録層から読み出す前に、一度読み出された抽出情報が記録されている第２情報記録層から読み出す。
【００４７】
これにより、一度読み出された抽出情報が再度検索などにより読み出される場合には、情報量の少ない第２情報記録層から読み出されることになるため、その抽出情報の読み出し（検索なども）を早く行うことができる。
【００４８】
本発明に係る再生装置では、上記再生制御手段は、上記第２情報記録層に記録されている抽出情報を読み出すものであり、上記再生制御手段が読み出した抽出情報に含まれる、当該抽出情報が読み出された回数を示す回数情報を参照して、当該回数が多い順に抽出情報が読み出されるように、上記第２情報記録層における抽出情報の記録位置を決定する決定手段を備え、上記送信手段は、上記決定手段が決定した記録位置を位置情報として送信することが好ましい。
【００４９】
上記構成によれば、決定手段が、抽出情報が読み出された回数の多い順に読み出されるように、第２情報記録層における抽出情報の記録位置を決定し、送信手段がその記録位置を位置情報として記録装置に送信する。このため、読み出された頻度（例えば検索頻度）の高い抽出情報から読み出す（すなわちユーザが読み出す可能性が高い抽出情報から読み出す）ことができるので、ユーザの利便性を向上させることができる。
【００５０】
本発明に係る再生装置は、上記再生制御手段が読み出した抽出情報に、当該抽出情報の外部での利用を制限するための鍵情報を付与する鍵情報付与手段を備え、上記送信手段は、上記鍵情報付与手段が上記鍵情報を付与した抽出情報を送信することが好ましい。
【００５１】
上記構成によれば、鍵情報付与手段が、再生制御手段が読み出した抽出情報に鍵情報を付与し、送信手段が、鍵情報が付与された抽出情報を記録装置に送信する。このため、次にこの抽出情報を利用する装置では、例えば鍵情報の認証などを行う必要がある。
【００５２】
つまり、第１情報記録層から読み出された抽出情報を情報記録媒体内で閉じて使用することができる（抽出情報の外部での利用を制限することができる）ので、第１情報記録層に記録されている登録情報の利用に際して、そのセキュリティーを担保することができる。
【００５３】
本発明に係る情報記録媒体は、上記の課題を解決するために、情報を読み出すことのみ可能な第１情報記録層と、情報を追記録可能な又は情報を書き換えることが可能な第２情報記録層と、を少なくとも備えた情報記録媒体であって、上記第１情報記録層には、登録情報が記録されており、上記第２情報記録層には、上記登録情報の少なくとも一部である抽出情報が記録されることを特徴としている。
【００５４】
上記構成によれば、第１情報記録層には登録情報が記録されており、第２情報記録層には、この登録情報の少なくとも一部である抽出情報が記録される。このため、本発明の情報記録媒体が、例えば本発明の記録装置または再生装置により利用され、例えば検索などにより再度この抽出情報が読み出される場合に、抽出情報の集まりである登録情報が記録されている第１情報記録層からではなく、一度読み出された抽出情報が記録されている第２情報記録層から読み出される場合には、その抽出情報の読み出し（検索なども）を早く行わせることができる。すなわち、例えば同じ検索条件などにより読み出される可能性（利用可能性）が高い抽出情報を、登録情報が記録されている第１情報記録層とは別の第２情報記録層に記録しておくことができるので、上記のような場合には、登録情報（抽出情報）の読み出しをより早く行わせることができる。
【００５５】
つまり、本発明の情報記録媒体は、当該情報記録媒体に記録された情報へのアクセス時間を短縮させることができるという効果を奏する。
【００５６】
本発明に係る情報記録媒体では、上記第１情報記録層に記録されている登録情報は、圧縮された情報であることが好ましい。
【００５７】
上記構成によれば、第１情報記録層の記録領域を増やすことができるので、容量の大きい登録情報を記録したり、種類の異なる登録情報を一緒に記録しておくことができる。
【００５８】
本発明に係る情報記録媒体では、上記第２情報記録層に記録される抽出情報は、非圧縮の情報であることが好ましい。
【００５９】
上記構成によれば、第２情報記録層に記録される抽出情報が読み出されるたびに解凍作業を行わせる必要がないので、その分、抽出情報に対するアクセス（抽出情報に対する処理を行うまでの処理）を早く行わせることができる。
【００６０】
本発明に係る情報記録媒体では、上記第１情報記録層には、当該第１情報記録層に記録されている登録情報の少なくとも一部である抽出情報を解凍するための解凍プログラムが記録されていることが好ましい。
【００６１】
上記構成によれば、解凍プログラムを装置に備えさせることなく、また、解凍プログラムを外部から取得することなく、登録情報が記録されている情報記録媒体から解凍プログラムを読み出すだけで、当該登録情報の解凍作業を行わせることができる。
【００６２】
これにより、ユーザはこの情報記録媒体を持ち運ぶだけで、圧縮された登録情報を利用することができる。また、情報記録媒体に解凍プログラムを記録されていることにより、登録情報の容易な管理を実現することができる。
【００６３】
本発明に係る情報記録媒体では、上記第２情報記録層には、上記第１情報記録層に記録されている登録情報の少なくとも一部である抽出情報を解凍するための解凍プログラムが記録されることが好ましい。
【００６４】
上記構成によれば、出荷時に解凍プログラムが記録されていない情報記録媒体であっても、解凍プログラムが記録された後は、この情報記録媒体を利用する装置が解凍プログラムを備えている必要も、解凍プログラムを外部から取得する必要もない。つまり、この情報記録媒体から解凍プログラムを読み出すだけで、登録情報の解凍作業を行わせることができる。
【００６５】
これにより、ユーザはこの情報記録媒体を持ち運ぶだけで、圧縮された登録情報を利用することができる。また、情報記録媒体に解凍プログラムを記録されていることにより、登録情報の容易な管理を実現することができる。
【００６６】
本発明に係る情報記録媒体では、上記第２情報記録層には、読み出された回数が多い抽出情報から順にその内周側から記録されることが好ましい。
【００６７】
上記構成によれば、抽出情報が読み出された回数の多い順に第２情報記録層の内周側から記録される。通常、情報記録媒体からの情報の読み出しは内周側から行われるので、このように記録されることにより、読み出された頻度（例えば検索頻度）の高い抽出情報から読み出させる（すなわちユーザが読み出す可能性が高い抽出情報から読み出させる）ことができる。このため、ユーザの利便性を向上させることができる。
【００６８】
本発明に係る情報記録媒体では、上記第２情報記録層に記録される抽出情報には、当該抽出情報の外部での利用を制限するための鍵情報が付与されていることが好ましい。
【００６９】
上記構成によれば、第２情報記録層に記録される抽出情報には鍵情報が付与されているので、この抽出情報を利用する装置では、例えば鍵情報の認証などを行う必要がある。このため、第１情報記録層から読み出された登録情報としての抽出情報が再度読み出される場合であっても、情報記録媒体内で閉じて使用することができる（抽出情報の外部での利用を制限することができる）ので、第１情報記録層に記録されている登録情報の利用に際して、そのセキュリティーを担保することができる。
【００７０】
特に登録情報が電話帳データなどの場合には、個人情報の流出を防ぐことができ、音楽データなどの場合には、当該音楽の著作権を保護することができる。
【００７１】
本発明に係る情報記録媒体は、光が照射されることにより情報の記録または再生が行われる光情報記録媒体であり、上記第２情報記録層の、当該第２情報記録層が再生されるときに最初に再生光が照射される領域であるリードイン領域を備え、上記リードイン領域には、上記抽出情報が記録される上記第２情報記録層の記録位置を示す位置情報が記録されることが好ましい。
【００７２】
上記構成によれば、情報記録媒体のリードイン領域に抽出情報の記録位置を示す位置情報が記録されている。このため、情報記録媒体が利用されるときに、その記録位置を読み出させることができるので、その記録位置に対応する抽出情報を引き続き（自動的に）読み出させることができる。
【００７３】
本発明に係る情報記録媒体では、上記第２情報記録層には、上記登録情報として追加可能な追加情報が記録されることが好ましい。
【００７４】
上記構成によれば、例えばユーザ操作や外部のネットワークなどから取得した登録情報としての追加情報が第２情報記録層に記録される。このため、登録情報が記録された情報記録媒体にて追加情報を一元管理させることができ、ユーザの利便性を向上させることができる。
【００７５】
本発明に係る情報記録媒体では、光が照射されることにより情報の記録または再生が行われる光情報記録媒体であることが好ましい。
【００７６】
上記構成によれば、可搬性に優れるとともに、安価な情報記録媒体を実現することができる。
【００７７】
本発明に係る情報記録媒体では、上記第１情報記録層に記録されている登録情報は、氏名を示す氏名情報、企業名称を示す企業名情報、住所を示す住所情報、電話番号を示す電話番号情報、および、電子メールのアドレスを示すメールアドレス情報のうち少なくとも２つが対応付けられた情報であることが好ましい。
【００７８】
上記構成によれば、電話帳データなどをデータベース化しておくことにより、読み出しなどの処理を早く行わせることができる。
【００７９】
本発明に係る情報記録媒体では、上記第１情報記録層に記録されている登録情報は、コンテンツであることが好ましい。
【００８０】
上記構成によれば、音楽データなどのコンテンツが登録情報として第１情報記録層に記録されているので、上記のように、当該音楽データが抽出情報として読み出され、第２情報記録層に記録された場合には、その後の読み出しなどの処理を早く行わせることができる。
【００８１】
本発明に係る情報記録媒体は、上記に記載の記録装置により用いられることが好ましい。また、本発明に係る情報記録媒体では、上記に記載の再生装置により用いられることが好ましい。
【００８２】
上記構成によれば、本発明の記録装置または再生装置により用いられるので、本発明の情報記録媒体は、情報記録媒体に記録された情報へのアクセス時間を短縮させることができるといった、上述した記録装置または再生装置の効果を奏する。
【００８３】
本発明に係る記録再生システムは、上記に記載の記録装置と、上記に記載の再生装置と、を備えるものである。
【００８４】
上記構成によれば、情報記録媒体に記録された情報へのアクセス時間を短縮することができるといった、上述した記録装置または再生装置の効果を奏する。
【発明の効果】
【００８５】
本発明に係る記録装置は、以上のように、上記第１情報記録層に記録されている情報である登録情報の少なくとも一部として読み出された抽出情報を受信する受信手段と、上記受信手段が受信した抽出情報を、上記第２情報記録層に記録させる記録制御手段と、を備える構成である。
【００８６】
また、本発明に係る記録装置の制御方法は、上記第１情報記録層に記録されている情報である登録情報の少なくとも一部として読み出された抽出情報を受信する受信ステップと、上記受信ステップにて受信した抽出情報を、上記第２情報記録層に記録させる記録制御ステップと、を含む方法である。
【００８７】
また、本発明に係る再生装置は、上記第１情報記録層に記録されている情報である登録情報の少なくとも一部を抽出情報として読み出す再生制御手段と、上記再生制御手段が読み出した抽出情報を、上記第２情報記録層に記録するための記録装置に送信する送信手段と、を備える構成である。
【００８８】
また、本発明に係る再生装置の制御方法は、上記第１情報記録層に記録されている情報である登録情報の少なくとも一部を抽出情報として読み出す再生制御ステップと、上記再生制御ステップにて読み出した抽出情報を、上記第２情報記録層に記録するための記録装置に送信する送信ステップと、を含む方法である。
【００８９】
また、本発明に係る情報記録媒体は、上記第１情報記録層には、登録情報が記録されており、上記第２情報記録層には、上記登録情報の少なくとも一部である抽出情報が記録される構成である。
【００９０】
それゆえ、情報記録媒体に記録された情報へのアクセス時間を短縮する（短縮させる）ことができるという効果を奏する。
【図面の簡単な説明】
【００９１】
【図１】本発明の一実施形態に係る記録再生システムにおける記録装置および再生装置の概略構成を示すブロック図である。
【図２】本発明の一実施形態に係る記録再生システムの概略構成を示すブロック図である。
【図３】本発明の一実施形態に係る光ディスクの概略構成を示す図であり、図３（ａ）は、再生光入射側から見たときの光ディスク１００を示す図であり、図３（ｂ）は、光ディスク１００の各記録層の構成例を示す図である。また、図３（ｃ）は、光ディスク１００のＲＯＭ層およびＲＥ層それぞれのユーザデータ領域１０３の概略構成の一例を示す図であり、図３（ｄ）は、その別の一例を示す図である。
【図４】本発明の一実施形態に係る記録再生システムにおいて用いられる登録情報（追加情報）のデータ構造およびディレクトリ構成のそれぞれ一例を示す図であり、図４（ａ）は、１データ当たりのデータ長が一定である登録情報のデータ構造の一例を示す図であり、図４（ｂ）は、１データ当たりのデータ長が一定でない登録情報のデータ構造の一例を示す図であり、図４（ｃ）は、これらデータのディレクトリ構成の一例を示す図である。
【図５】本発明の一実施形態に係る記録再生システムにおいて用いられる抽出情報のデータ構造の一例を示す図であり、図５（ａ）は、１データ当たりのデータ長が一定である抽出情報のデータ構造の一例を示す図であり、図５（ｂ）は、１データ当たりのデータ長が一定でない抽出情報のデータ構造の一例を示す図である。
【図６】本発明の一実施形態に係る記録再生システムにおける処理の流れを示すフローチャートであり、検索処理および編集処理がユーザの入力操作によって実現される場合の処理の流れを示すものである。
【図７】本発明の一実施形態に係る記録再生システムにおける処理の流れの別例を示すフローチャートであり、検索処理が記録装置にて自動で行われ、編集処理がユーザの入力操作によって実現される場合の処理の流れを示すものである。
【図８】本発明の一実施形態に係る記録再生システムにおける処理の流れの更なる別例を示すフローチャートであり、検索処理がユーザの入力操作にて行われ、編集処理が記録装置にて自動で行われることによって実現される場合の処理の流れを示すものである。
【図９】本発明の一実施形態に係る記録再生システムにおける処理の流れの更なる別例を示すフローチャートであり、検索処理および編集処理が記録装置にて自動で行われることによって実現される場合の処理の流れを示すものである。
【図１０】本発明の一実施形態に係る光ディスクの抽出データ保存領域に抽出情報が保存される様子を示す図であり、図１０（ａ）は、検索日時順に内周側から抽出情報が記録されていく様子を示すものであり、図１０（ｂ）は、検索回数順に内周側から抽出情報が記録されていく様子を示すものである。
【図１１】本発明の一実施形態に係る光ディスクの抽出データ保存領域の内周側から、過去の検索条件毎に（検索日時順に）抽出情報が記録されていく様子を示す図であり、図１１（ａ）は、抽出データ保存領域に記録容量がある場合の様子を示すものであり、図１１（ｂ）は、抽出データ保存領域に記録容量がない場合の様子を示すものである。
【図１２】本発明の一実施形態に係る光ディスクの抽出データ保存領域の内周側から、データ長が一定である抽出情報が検索回数順に記録されていく様子を示す図である。
【図１３】本発明の一実施形態に係る光ディスクの抽出データ保存領域の内周側から、データ長が一定ではない抽出情報が検索回数順に記録されていく様子を示す図である。
【図１４】本発明の一実施形態の変形例に係る記録再生システムにおける記録装置および再生装置の概略構成の一例を示すブロック図である。
【図１５】本発明の一実施形態の変形例に係る記録再生システムにおける処理の流れを示すフローチャートであり、検索処理および編集処理がユーザの入力操作によって実現される場合の処理の流れを示すものである。
【図１６】本発明の一実施形態の変形例に係る記録再生システムにおける処理の流れの別例を示すフローチャートであり、検索処理が記録装置にて自動で行われ、編集処理がユーザの入力操作によって実現される場合の処理の流れを示すものである。
【図１７】本発明の一実施形態の変形例に係る記録再生システムにおける処理の流れの更なる別例を示すフローチャートであり、検索処理がユーザの入力操作にて行われ、編集処理が記録装置にて自動で行われることによって実現される場合の処理の流れを示すものである。
【図１８】本発明の一実施形態の変形例に係る記録再生システムにおける処理の流れの更なる別例を示すフローチャートであり、検索処理および編集処理が記録装置にて自動で行われることによって実現される場合の処理の流れを示すものである。
【図１９】本発明の一実施形態の変形例に係る記録再生システムにおける処理の流れの更なる別例を示すフローチャートであり、暗号化された登録情報が光ディスクのＲＯＭ層に記録されており、鍵情報の照合を行うことでこの登録情報の一部である抽出情報をＲＥ層に記録する処理の流れを示すものである。
【図２０】本発明の別の一実施形態に係る記録再生システムの概略構成を示すブロック図である。
【図２１】本発明の別の一実施形態に係る記録再生システムにおける記録装置および再生装置の概略構成の一例を示すブロック図である。
【図２２】本発明の別の一実施形態の変形例に係る記録再生システムにおける記録装置および再生装置の概略構成の一例を示すブロック図である。
【図２３】本発明のさらに別の一実施形態に係る電子機器の概略構成の一例を示すブロック図である。
【発明を実施するための形態】
【００９２】
〔実施の形態１〕
本発明の実施の一形態について図１〜図１９に基づいて説明すれば、以下のとおりである。
【００９３】
ここで、本実施の形態において、情報（例えば抽出情報）の「非圧縮」状態とは、現在流通されている一般的な再生装置が、情報記録媒体に記録されている情報をそのまま読み出し再生することが可能なデータ形式である状態を指す。この再生装置は、その内部に、情報記録媒体から情報を読み出し再生することが可能なハードウェアまたはソフトウェアにて形成された仕組みを備えることにより、情報記録媒体からの情報の読み出しおよび再生を実現している。
【００９４】
一方、情報の「圧縮」状態とは、「非圧縮」状態のデータ（情報）を、そのデータ容量を減らすためのデータフォーマットの変換が行われており、上記の再生装置が、この「圧縮」状態の情報を読み出し再生するために、当該情報を「非圧縮」状態のデータに変換する必要があるデータ形式である状態を指す。つまり、「圧縮」状態とは、この再生装置が備える仕組みでは、「圧縮」状態の情報をそのまま読み出し再生することができない状態を指す。また、この「圧縮」状態の情報を「非圧縮」状態の情報に変換する処理を「解凍」処理と定義する。
【００９５】
なお、上記の再生装置では、通常、音楽データに利用されるＭＰ３形式、テキストデータのバイナリーコード、画像データのＪＰＥＧ形式などをそのまま読み出し再生することが可能である。一方、上記の再生装置では、これらのデータの容量をさらに減らすために、Ｚｉｐ形式やＬＺＨ形式などに変換されている場合には、再生するために一旦元のデータに戻す（解凍する）必要がある。従って、本実施の形態では、上記の再生装置が通常そのまま読み出し再生することが可能なデータを「非圧縮」状態のデータとし、そのまま読み出しても再生できず、解凍処理を必要とするデータを「圧縮」状態のデータとして定義する。
【００９６】
〔記録再生システム１０の概要〕
まず、本実施の形態に係る記録再生システム１０について、図２を用いて説明する。図２は、本実施の形態に係る記録再生システム１０の概略構成を示すブロック図である。図示のように、記録再生システム１０は、記録装置１、再生装置２、操作装置３および表示装置４を含み、記録装置１と、再生装置２、操作装置３および表示装置４とが有線、無線、赤外線などを用いてデータ通信を行うことが可能となっている。すなわち、本実施の形態では、記録装置１が操作装置３および表示装置４に対する制御を行うものとする。なお、記録装置１が操作装置３および表示装置４の機能を備える構成であってもよく、この場合、記録再生システム１０は、記録装置１および再生装置２からなる。記録装置１および再生装置２については後述する。
【００９７】
操作装置３は、ユーザ（利用者）が表示装置４に表示される画像を見ながら入力操作を行うためのものであり、例えば「ＥＮＴＥＲ」キーや矢印キーなどの各種キーを備えたリモコン、マウス、タッチパッド、マイク（音声入力装置）などが挙げられる。
【００９８】
表示装置４は、記録装置１の表示制御部３０に制御されることにより、例えばユーザが所望のデータ（抽出情報）を光ディスク１００から読み出すために、光ディスク１００に記録されたデータ（登録情報あるいは抽出情報）に対して検索を行うための検索用画像や、検索の結果読み出された抽出情報に対して編集を行うための編集用画像など、記録装置１の制御に必要な情報を表示するものである。表示装置４は、例えば液晶パネルにより構成されているが、これに限らず、有機ＥＬ（Electro Luminescence）パネルなどが用いられていてもよい。なお、上記画像が示す情報をユーザに提示可能な装置であれば、表示装置４に限らず、例えばスピーカーなどの音声出力装置であってもよい。この場合、音声出力装置は、検索用画像や編集用画像が示す情報を音声にてユーザに提示することが可能となる。また、表示装置４に上記画像が表示され、音声出力装置から音声が出力される構成であってもよい。
【００９９】
また、本実施の形態では、記録装置１および再生装置２には、ＤＶＤ（Digital Versatile Disc）やＢＤ（Blu-ray Disc）などの光情報記録媒体を挿入することができ、特に光ディスク１００が挿入される場合について説明する。なお、光ディスク１００については後述する。
【０１００】
〔記録装置１の構成〕
次に、図１を用いて、本実施の形態に係る記録装置１の概略構成の一例について説明する。図１は、本実施の形態に係る記録再生システム１０における記録装置１および再生装置２の概略構成の一例を示すブロック図である。
【０１０１】
記録装置１は、上記の光情報記録媒体や本実施の形態に係る光ディスク１００（情報記録媒体、光情報記録媒体）に対して情報の記録制御を行うものであり、媒体装填確認部１１、媒体制御回路群１２、制御部１３および記憶部１４を備えている。
【０１０２】
媒体装填確認部１１は、光ディスク１００などの情報記録媒体の装填を検出するためのものであり、例えば各種センサで実現されるが、情報記録媒体の装填を検出できるものであれば、どのような検出装置を用いてもよい。また、媒体装填確認部１１は、検出した結果を検出信号として制御部１３へ出力するようになっている。
【０１０３】
媒体制御回路群１２は、記録装置１の制御部１３の制御により、情報記録媒体に情報の記録を行うものであり、例えば光ディスク１００へ記録される情報としては抽出情報が挙げられる。
【０１０４】
制御部１３は、光ディスク１００に記録されているデータに対する検索処理、光ディスク１００から読み出されたデータに対する編集処理（データ記録の際の並べ替え処理（記録位置決定処理）を含む）などの処理を実行するためのものである。制御部１３は、例えば制御プログラムを実行することにより、記録装置１を構成する部材を制御するものである。制御部１３は、記録装置１に備えられた記憶部１４に格納されているプログラムを、例えばＲＡＭ（Random Access Memory）等で構成される一次記憶部（不図示）に必要に応じて読み出して実行することにより各種処理を行う。具体的な構成については後述する。
【０１０５】
記憶部１４は、制御部１３が実行する（１）各部の制御プログラム、（２）ＯＳプログラム、（３）アプリケーションプログラム、および、（４）これらプログラムを実行するときに読み出す各種データを記録するものである。記憶部１４は、例えばＨＤＤ（Hard Disk Drive）、半導体メモリ等の記憶装置によって構成されるものであり、必要に応じてＲＯＭ（Read Only Memory）フラッシュメモリなどの不揮発性の記憶装置によって構成される。なお、上述した一次記憶部は、ＲＡＭなどの揮発性の記憶装置によって構成されているが、本実施の形態では、記憶部１４が一次記憶部（バッファ）の機能も備えているものとして説明する場合もある。記憶部１４は、例えば制御部１３が編集処理や並べ替え処理を行うために光ディスク１００から読み出した抽出情報や、圧縮されている抽出情報を解凍するための解凍プログラムを格納する。
【０１０６】
次に、制御部１３の具体的な構成について説明する。制御部１３は、上述の処理を実行するために、主として、データ解凍部２２（解凍手段）、保存制御部２３、データ圧縮部２４、記録制御部２５（記録制御手段）、記録位置決定部２６（決定手段）、送受信部２７（受信手段）、検索制御部２８、編集制御部２９および表示制御部３０を備える。
【０１０７】
データ解凍部２２は、記憶部１４や光ディスク１００から解凍プログラムを読み出し、送受信部２７が受信した、ＲＯＭ層（第１情報記録層）に記録されている登録情報の少なくとも一部として読み出された抽出情報を解凍するものである。
【０１０８】
保存制御部２３は、光ディスク１００から読み出された抽出情報および検索履歴情報を記憶部１４に保存するものである。
【０１０９】
データ圧縮部２４は、ＲＥ層（第２情報記録層）に記録する抽出情報を圧縮するものである。
【０１１０】
記録制御部２５は、送受信部２７が受信した、ＲＯＭ層に記録されている情報である登録情報の少なくとも一部として再生装置２により読み出された抽出情報を、媒体制御回路群１２を介してＲＥ層に記録させるものである。
【０１１１】
この他、記録制御部２５は、データ解凍部２２が解凍した非圧縮の抽出情報や、再生装置２により登録情報の一部として読み出された抽出情報を解凍するための解凍プログラムを、ＲＥ層に記録させる。この解凍プログラムは、例えば操作装置３を介したユーザ操作や、通信制御部（不図示）により外部のネットワーク（例えばインターネット）から記録装置１が取得したものであったり、記憶部１４に予め保存されているものである。
【０１１２】
さらに、記録制御部２５は、記録位置決定部２６が決定したＲＥ層の記録位置に抽出情報を記録させるものであり、当該記録位置を示す位置情報を、ＲＥ層のリードイン領域１０２に記録させてもよい。また、記録制御部２５は、後述の鍵情報付与部３１が鍵情報を付与した抽出情報や、登録情報として追加可能な追加情報をＲＥ層に記録させる。
【０１１３】
記録位置決定部２６は、送受信部２７が受信した抽出情報に含まれる、当該抽出情報が読み出された回数を示す検索回数（回数情報）を参照して、当該回数が多い順に抽出情報が読み出されるように、ＲＥ層における抽出情報の記録位置を決定するものである。記録位置決定部２６は、例えば記憶部１４（バッファ）上でＲＥ層おける抽出情報の記録位置の決定（並べ替え処理）を行う。
【０１１４】
送受信部２７は、再生装置２が光ディスク１００のＲＯＭ層またはＲＥ層から読み出した抽出情報や、ＲＥ層から読み出した検索履歴情報または追加情報などを受信するものである。また、送受信部２７は、これらの情報を光ディスク１００から読み出すための読み出し指示を再生装置２に送信するものである。さらに、送受信部２７は、操作装置３から操作信号を取得したり、表示制御部３０の指示により表示装置４に画像を送信するものである。
【０１１５】
検索制御部２８は、検索処理に関わる部材の制御を行うものであり、編集制御部２９は、編集処理に関わる部材の制御を行うものである。
【０１１６】
表示制御部３０は、表示装置４を制御するものであり、画像を作成して表示装置４に表示させるものである。
【０１１７】
〔再生装置２の構成〕
次に、図１を参照しながら、本実施の形態に係る再生装置２の概略構成の一例について説明する。再生装置２は、上記の光情報記録媒体や本実施の形態に係る光ディスク１００に対して情報の再生制御を行うものであり、媒体装填確認部４１、媒体制御回路群４２、制御部４３および記憶部４４を備えている。媒体装填確認部４１については、媒体装填確認部１１と同様の機能を有するので、ここではその説明を省略する。
【０１１８】
媒体制御回路群１２は、再生装置２の制御部４３の制御により、情報記録媒体に記録されている情報の再生を行うものであり、例えば光ディスク１００から読み出す情報としては抽出情報が挙げられる。
【０１１９】
制御部４３は、主として、再生制御部５１（再生制御手段）および送受信部５７（送信手段）を備え、例えば制御プログラムを実行することにより、再生装置２を構成する部材を制御するものである。制御部４３は、再生装置２に備えられた記憶部４４に格納されているプログラムを、例えばＲＡＭ等で構成される一次記憶部（不図示）に必要に応じて読み出して実行することにより各種処理を行う。
【０１２０】
再生制御部５１は、ＲＯＭ層またはＲＥ層に記録されている抽出情報や、ＲＥ層に記録されている検索履歴情報または追加情報などを読み出すものである。また、再生制御部５１は、検索制御部２８により検索処理が自動で行われる場合には（例えば図７参照）、ＲＯＭ層に記録されている抽出情報を読み出す前に、ＲＥ層に記録されている抽出情報を読み出すものである。
【０１２１】
送受信部５７は、再生制御部５１がＲＯＭ層またはＲＥ層から読み出した抽出情報や、ＲＥ層から読み出した検索履歴情報または追加情報などを送信するものである。また、送受信部５７は、これらの情報を光ディスク１００から読み出すための読み出し指示を記録装置１から受信するものである。
【０１２２】
また、記憶部４４は、制御部４３が実行する（１）各部の制御プログラム、（２）ＯＳプログラム、（３）アプリケーションプログラム、および、（４）これらプログラムを実行するときに読み出す各種データを記録するものである。記憶部４４は、例えばＨＤＤ（Hard Disk Drive）、半導体メモリ等の記憶装置によって構成されるものであり、必要に応じてＲＯＭ（Read Only Memory）フラッシュメモリなどの不揮発性の記憶装置によって構成される。なお、上述した一次記憶部は、ＲＡＭなどの揮発性の記憶装置によって構成されているが、本実施の形態では、記憶部４４が一次記憶部（バッファ）の機能も備えているものとして説明する場合もある。
【０１２３】
〔光ディスク１００の構成〕
次に、図３を用いて、本実施の形態に係る光ディスク１００の概略構成の一例について説明する。図３は、本実施の形態に係る光ディスク１００の概略構成の一例を示す図であり、図３（ａ）は、再生光入射側から見たときの光ディスク１００を示す図であり、図３（ｂ）は、光ディスク１００の各記録層の構成例を示す図である。また、図３（ｃ）は、光ディスク１００のＲＯＭ層およびＲＥ層それぞれのユーザデータ領域１０３の概略構成の一例を示す図であり、図３（ｄ）は、その別の一例を示す図である。
【０１２４】
まず、図３（ａ）に示すように、光ディスク１００は、その内周側に、管理領域１０１およびリードイン領域１０２を備えている。
【０１２５】
管理領域１０１は、光ディスク１００の最内周で、かつ、再生光入射側から最も遠い記録層（ＲＥ層）に設けられた領域であり、トラッキング制御が不要な領域またはフォーカス制御のみでアクセス可能なバーコード状の記録領域であり、例えばＢＣＡ（Burst Cutting Area）である。例えば再生装置２は、光ディスク１００が挿入されると、まず管理領域１０１の情報を読み取りにいくように設計されている。また、管理領域１０１は、製造時にのみ情報の書き込みを行うことが可能な領域（すなわち書き換え不可能な領域）である。
【０１２６】
管理領域１０１には、主として、光ディスク１００の構造を示す識別情報が記録される。識別情報の具体例としては、光ディスク１００の記録層のタイプ（再生専用型、追記型、書き換え型）、光ディスク１００のサイズ、光ディスク１００のバージョン（速度等に関連）、サーボの極性、記録マークの極性および光ディスク１００固有の番号などが挙げられるが、管理領域１０１における各識別情報の記録順序（又は配置方法）は、任意であってよい。なお、これらの記録順序は、通常規格などによって決められている。
【０１２７】
リードイン領域１０２は、光ディスク１００において管理領域１０１の外周側に、記録層ごとに設けられた領域であり、記録装置１または再生装置２が各層に対する処理を行う際に、再生装置２による制御により最初に再生光が照射される（最初に情報が読み出される）記録領域である。また、リードイン領域１０２には、製造時にのみ情報の書き込みを行うことが可能な領域（すなわち書き換え不可能な領域）と、記録装置１に挿入された後に情報の書き換えを行うことが可能な領域とが設けられている。リードイン領域１０２には、例えば光ディスク１００への記録・再生の標準条件、各層に対する記録装置１または再生装置２のアクセスの許可不許可（アクセス制限）を示す情報、製造時の欠陥および使用中にできた欠陥の位置を示す情報などが記録されている。なお、この欠陥の位置を示す情報は、リードイン領域１０２およびリードアウト領域１０４内の欠陥管理領域に記録される。
【０１２８】
次に、図３（ｂ）は、再生光入射側から最も遠い記録層から記録層Ｌ０、Ｌ１、・・・と称する場合、記録層Ｌ０が、情報を記録することが可能な記録可能領域であるＲＥ層（書き換え可能な記録層）、記録層Ｌ１が、情報を読み出すことが可能な再生専用領域であるＲＯＭ層（再生専用の記録層）である場合の光ディスク１００の構成を示している。なお、ＲＥ層は、追記録可能な記録層をＲ（Recordable）層であってもよい。また、図３（ｂ）では、記録層Ｌ０およびＬ１だけを図示しているが、再生光入射側にさらに記録層を設けた構成であってもよい。換言すれば、光ディスク１００は、情報を読み出すことのみ可能なＲＯＭ層と、情報を追記録可能な又は情報を書き換えることが可能なＲ層またはＲＥ層と、を少なくとも備えたものといえる。
【０１２９】
図示のように、記録層Ｌ０（ＲＥ層）および記録層Ｌ１（ＲＯＭ層）には、リードイン領域１０２、ユーザデータ領域１０３およびリードアウト領域１０４が設けられている。また、ＲＥ層には、さらに管理領域１０１が設けられている。なお、管理領域１０１およびリードイン領域１０２については上述したので、ここではその説明を省略する。
【０１３０】
ユーザデータ領域１０３は、登録情報、抽出情報、検索履歴情報、追加情報、登録情報を解凍するための解凍プログラムなど記録可能な領域である。具体的には、ＲＯＭ層のユーザデータ領域１０３には、製造段階で記録される、電子化された電話帳データ（電子電話帳データ）や音楽データなど、検索または編集を行うことが可能なデータ群が登録情報として記録されている。また、登録情報は、音楽データに限らず、電子化された百科事典、辞書およびその他の出版物であってもよい。また、登録情報は、複数の電話帳データや複数の音楽データがデータベース化されたものであってもよい。
【０１３１】
一方、ＲＥ層のユーザデータ領域１０３には、登録情報（データベース）の少なくとも一部である少なくとも１つの抽出情報（レコード）や、検索の履歴を示す検索履歴情報、ユーザの入力操作やネットワーク（例えばインターネット）などを介して登録情報の一部として追加される追加情報などが記録される。
【０１３２】
解凍プログラムは、ＲＯＭ層のユーザデータ領域１０３に予め記録されていてもよい。また、ＲＯＭ層のユーザデータ領域１０３に予め記録されていなくても、例えば記録装置１がユーザ操作やネットワークなどから取得した解凍プログラムが、記録制御部２５によりＲＥ層のユーザデータ領域１０３に記録されてもよい。
【０１３３】
より具体的には、登録情報が例えば電話帳データの場合、図３（ｃ）に示すように、ＲＯＭ層のユーザデータ領域１０３は、登録情報（この場合は電話帳データ）を記録するための登録データ保存領域１０３ａとして機能する。
【０１３４】
一方、ＲＥ層（Ｒ層）のユーザデータ領域１０３には、内周側から外周側に向けて、検索履歴記録領域１０３ｂ、抽出データ保存領域１０３ｃおよび追加データ保存領域１０３ｄが設けられている。これらの保存領域は、再生装置２による情報の読み出しが行われる順（もしくは頻度の高い順）に内周側から設けられているが、その順序を考慮しなければ、どのような順序で設けられていてもよい。
【０１３５】
検索履歴記録領域１０３ｂは、抽出情報に付加される情報である検索履歴情報を記録するための領域である。検索履歴情報とは、過去の検索履歴を示す情報であり、過去に検索された抽出情報を識別するための検索履歴ＩＤ（図５参照）と、編集処理における抽出結果を示す「抽出項目」（図５参照）と、検索された回数を示す検索回数（図５参照）と、ユーザにより入力された文字（文字列）や記号などを示す検索条件と、検索された日時を示す検索日時とを含むものである。抽出データ保存領域１０３ｃは、ＲＯＭ層の登録データ保存領域１０３ａに記録されている登録情報の一部として読み出された抽出情報を記録するための領域である。追加データ保存領域１０３ｄは、登録データ保存領域１０３ａに含まれない登録情報がユーザにより追加情報として追加されたときに、当該追加情報を記録するための領域である。
【０１３６】
なお、本実施の形態では、登録情報の一部として読み出された抽出情報と、当該抽出情報に付加される検索履歴情報とを含めて「抽出情報」と呼ぶ場合がある。
【０１３７】
また、登録情報が例えば音楽データの場合（検索履歴情報および追加情報の記録を行う必要がない（あるいはその記録が不可能な）場合）には、図３（ｄ）に示すように、ＲＥ層（Ｒ層）のユーザデータ領域１０３は、抽出データ保存領域１０３ｃとしてのみ機能する。ＲＯＭ層のユーザデータ領域１０３は、図３（ｃ）に示す光ディスク１００と同様、登録データ保存領域１０３ａとして機能する。
【０１３８】
なお、登録データ保存領域１０３ａに記録される登録情報と、追加データ保存領域１０３ｄに記録される追加情報とは、圧縮された状態で記録されており、検索履歴記録領域１０３ｂおよび抽出データ保存領域１０３ｃに記録される抽出情報は、非圧縮の状態で記録される。
【０１３９】
リードアウト領域１０４は、図３（ｂ）に示すように、通常、光ディスク１００の各層の最外周側に設けられており、前述した欠陥の位置を示す情報などが記録されている。
【０１４０】
なお、本実施の形態では、光ディスク１００がＲＥ層（Ｒ層）およびＲＯＭ層からなる２層ＢＤである場合について説明するが、これに限らず、少なくともＲＥ層（Ｒ層）およびＲＯＭ層を少なくとも１層ずつ含む多層媒体であってもよい。
【０１４１】
また、上記では、検索履歴記録領域１０３ｂは、ＲＥ層のユーザデータ領域１０３の内周側に設けられているものとして説明したが、これに限らず、ＲＥ層のリードイン領域１０２に設けられていてもよい。この場合、記録制御部２５は、抽出情報を記録させるＲＥ層における記録位置を示す位置情報を含む検索履歴情報を、リードイン領域１０２に記録させることができるので、再生装置２に装填されたときに抽出情報を自動的に読み出すことが可能となる。
【０１４２】
次に、図４を用いて、登録データ保存領域１０３ａおよび追加データ保存領域１０３ｄに記録される登録情報（追加情報）のデータ構造およびディレクトリ構成の一例について説明する。図４は、登録情報（追加情報）のデータ構造およびディレクトリ構成のそれぞれ一例を示す図であり、図４（ａ）は、１データ当たりのデータ長が一定である登録情報のデータ構造の一例を示す図であり、図４（ｂ）は、１データ当たりのデータ長が一定でない登録情報のデータ構造の一例を示す図である。また、図４（ｃ）は、これらデータのディレクトリ構成の一例を示す図である。ここでは、登録情報および追加情報のデータ構造およびディレクトリ構成は同一であるので、登録情報の場合を例に説明する。つまり、追加情報についても追加データ保存領域１０３ｄに記録される情報である以外は、登録情報と同様である。また、登録情報の１データ当たりのデータ長が一定である場合として、例えば電話帳データが挙げられ、データ長が一定でない場合としては、例えば音楽データが挙げられる。
【０１４３】
図４（ａ）に示すように、電話帳データは、例えば、１データ当たりのデータ長が１ｋＢ（キロバイト）であり、「固有ＩＤ」および「項目１」〜「項目８」を有する。「固有ＩＤ」は、「項目１」〜「項目８」に記録される各種情報の一群を識別するための識別情報である。「項目１」〜「項目８」は、各「固有ＩＤ」に対応付けて記録される各項目（名前、住所など）に対応する情報が記録されるものである。
【０１４４】
例えば、「項目１」には、飲食店、スーパーマーケットなどの店舗の大まかなカテゴリー（店舗大カテゴリー）名が記録され、「項目２」には、ラーメン店、和食料理店などの大カテゴリーよりも細かなカテゴリー（店舗小カテゴリー）名が記録される。「項目１」および「項目２」には、実際には、各カテゴリー名に対応付けられたコードが記録される。また、「項目３」には、その店名（名前（屋号））が記録され、「項目４」には、その店の郵便番号が記録される。さらに、「項目５」〜「項目７」には、その店が存在する住所（都道府県名、市町村名およびその他の住所名））が記録される。「項目５」および「項目６」には、実際には、各カテゴリー名に対応付けられた（郵便番号に対応付けられた都道府県および市町村の）コードが記録される。他住所とは、住所において都道府県および市町村以外に該当する部分（番地など）を指す。また、「項目８」には、電話番号自体が記録される。
【０１４５】
これらの項目に所定の情報が記録されることにより、電話帳データのデータ群の１つが形成される。実際、電話帳データは、図４（ａ）の（例１）に示すように、項目毎にカンマで区切って表され、「項目８」の後ろに空白を挿入することにより、所定のデータ長（ここでは１ｋＢ）となるように調節される。また、（例２）に示すように、項目毎に所定のデータ長が決められており、そのデータ長に満たない項目について空白を入れることで、所定のデータ長となるように調節されてもよい。なお、（例１）および（例２）では、便宜上、「項目４」の郵便番号を「000-0000」、「項目７」の他住所を「○○町０−０」、「項目８」の電話番号を「0000-00-0000」と表記している。図５に示す（例３）および（例４）も同様である。
【０１４６】
また、図４（ｂ）に示すように、音楽データ（鍵なし）は、１データ当たりのデータ長が一定でなくそれぞれ任意の長さを有しており、例えば「固有ＩＤ」および「項目１」〜「項目４」を有する。「固有ＩＤ」は、「項目１」〜「項目４」に記録される各種情報の一群を識別するための識別情報である。「項目１」〜「項目４」は、各「固有ＩＤ」に対応付けて記録される各項目（ジャンル、アーティスト名、曲データなど）に対応する情報が記録されるものである。具体的には、「項目１」には、曲のジャンル名が記録され、「項目２」には、曲の演奏者名、歌手名、作曲者名などアーティスト名が記録される。「項目１」および「項目２」には、実際には、各カテゴリーに対応付けられたコードが記録される。また、「項目３」には、アルバムのタイトル名が記録され、「項目４」には、曲データ自体が記録される。
【０１４７】
さらに、音楽データ（鍵あり）の場合には、上記の鍵なしの場合のデータ構造に加えて、暗号化された曲データを読み出すための鍵情報が記録されている（項目「鍵情報」に記録）。なお、項目数は、任意に決めることができるものであり、例えば図４（ａ）のデータ構造に、ファクシミリ番号およびメールアドレスを記録する項目が追加されてもよい。
【０１４８】
また、図４（ｃ）に示すように、電話帳データおよび音楽データのディレクトリ構成（階層構造）となっており、この階層に従って各項目が定められている。電話帳データの場合には「店舗小カテゴリー」の下位層に、音楽データの場合には「アルバム」の下位層にそれぞれ、圧縮されたデータ群（登録情報）が配置される。
【０１４９】
次に、図５を用いて、抽出データ保存領域１０３ｃに記録される抽出情報のデータ構造の一例について説明する。図５は、抽出情報のデータ構造の一例を示す図であり、図５（ａ）は、１データ当たりのデータ長が一定である抽出情報（ここでは電話帳データ）のデータ構造の一例を示す図であり、図５（ｂ）は、１データ当たりのデータ長が一定でない抽出情報（ここでは音楽データ）のデータ構造の一例を示す図である。
【０１５０】
図５（ａ）に示すように、電話帳データの場合、１データ当たりのデータ長が例えば１．１ｋＢであり、「固有ＩＤ」および「項目１」〜「項目８」（すなわち登録情報のデータ構造）の先頭に、「記録番号」、「検索履歴ＩＤ」、「抽出項目」および「検索回数」がこの順で追加されている。すなわち、この４つの情報（検索履歴情報）（０．１ｋＢ）が登録情報の一部として抽出された抽出情報に付加されて、検索履歴記録領域１０３ｂおよび抽出データ保存領域１０３ｃに記録される情報としての抽出情報を形成している。
【０１５１】
「記録番号」は、抽出データ保存領域１０３ｃにおける抽出情報の位置を示す項目であり、内周側から記録位置順に、０００１、０００２、…と番号が割り当てられる。この記録番号は、抽出データ保存領域１０３ｃのアドレスと対応付けられている。「検索履歴ＩＤ」および「検索回数」は検索処理に関する項目である。「検索履歴ＩＤ」は、上述のように、過去に検索された抽出情報を識別するための情報であり、「検索回数」は、「検索履歴ＩＤ」に対応付けられた抽出情報が検索された回数を示すものである。「抽出項目」は編集処理に関する項目である。「抽出項目」には、抽出情報に対して、例えば「項目１」および「項目４」〜「項目６」を削除する編集が行われる場合、当該項目には「０」、その他の項目（「項目２」、「項目３」、「項目７」および「項目８」）には「１」を付した８ビット情報「01100011」が記録される。つまり、編集処理が行われると、表示装置４には、「１」が付された「項目２」、「項目３」、「項目７」および「項目８」に記録されている情報のみが抽出情報として表示されることになる。
【０１５２】
なお、（例３）に示すように、項目毎にカンマで区切って表され、「項目８」の後ろに空白を挿入することにより、所定のデータ長（ここでは１ｋＢ）となるように調節される。また、（例４）に示すように、項目毎に所定のデータ長が決められており、そのデータ長に満たない項目について空白を入れることで、所定のデータ長となるように調節されてもよい。
【０１５３】
また、図５（ｂ）に示すように、１データ当たりのデータ長が一定ではない音楽データの場合には、鍵なし、鍵ありに関わらず、登録情報の一部として抽出された抽出情報（「固有ＩＤ」および「項目１」〜「項目４」）に「記録番号」および「検索履歴ＩＤ」が追加されて、検索履歴記録領域１０３ｂおよび抽出データ保存領域１０３ｃに記録される情報としての抽出情報が形成される。
【０１５４】
なお、光ディスク１００に鍵情報が記録されている（登録情報または抽出情報に鍵情報が付与される）場合の処理については、実施の形態１の変形例として図１４〜図１９を用いて後述する。
【０１５５】
〔各装置における処理の流れ（その１）〕
次に、図６を用いて、記録再生システム１０における処理の流れ、特に記録装置１および再生装置２における処理の流れについて説明する。図６は、記録再生システム１０における処理の流れを示すフローチャートであり、検索処理および編集処理がユーザの入力操作によって実現される場合の処理の流れを示すものである。
【０１５６】
まず、再生装置２に光ディスク１００が装填されると、媒体装填確認部４１が検出信号を制御部４３に送信する。制御部４３の再生制御部５１は、装填された情報記録媒体が光ディスク１００であることを確認するために、媒体制御回路群１２を制御することにより、情報記録媒体の管理領域からこの情報記録媒体の種類などを示す情報を読み出す。そして、再生制御部５１は、この情報を解析することにより、情報記録媒体が光ディスク１００であるか否かを確認し、光ディスク１００である場合には、記録装置１にその旨を通知する。
【０１５７】
検索制御部２８は、再生装置２から光ディスク１００である旨の通知を受けると、過去の検索結果を利用するか、新規の検索処理を行うか否かをユーザに選択させるための選択画像を表示装置４に表示させるために、当該画像の表示指示を表示制御部３０に送信する。表示制御部３０は、この表示指示を受信すると、選択画像を作成して、当該画像を表示装置４に表示させる。
【０１５８】
ユーザは、表示装置４に表示される選択画像を見ながら、操作装置３を用いて上記の選択を行う。すなわち、操作装置３を介したユーザ操作に応じて、送受信部２７が、操作装置３から操作信号（例えば表示装置４に表示されるカーソルの位置を示す信号や各種キーの押下を示す押下信号）を受信する。送受信部２７は、この操作信号を検索制御部２８に送信する。検索制御部２８は、この操作信号を解析することにより、ユーザが過去の検索結果の利用を選択したか、新規の検索処理を選択したかを判断する（ステップＳ１（以降、単に「Ｓ１」と示す））。
【０１５９】
検索制御部２８は、ユーザが新規の検索処理を選択した判断すると（Ｓ１で「新規検索」）、検索条件の入力を受け付ける（Ｓ２）。このため、検索制御部２８は、検索条件をユーザに入力させるための入力画像を表示装置４に表示させるために、当該画像の表示指示を表示制御部３０に送信する。表示制御部３０は、この表示指示を受信すると、入力画像を作成し表示装置４に表示させる。
【０１６０】
ユーザは、表示装置４に表示される入力画像を見ながら、操作装置３を用いて検索条件の入力（例えば検索キーワードの入力）を行う。送受信部２７は、検索条件の入力に応じて操作装置３からの操作信号を受信すると、検索制御部２８に送信する。検索制御部２８は、この操作信号を解析することにより、検索条件の入力を受け付ける。検索制御部２８は、登録データ保存領域１０３ａ（「データ領域」）からこの検索条件を含む登録情報を抽出情報として読み出すための読み出し指示を、送受信部２７を介して再生装置２に送信する。また、検索制御部２８は、読み出された抽出情報を管理するために、当該抽出情報に付与するための検索履歴ＩＤを発行し、当該抽出情報に対応付けられる検索履歴情報を作成する。
【０１６１】
再生装置２では、再生制御部５１は、送受信部５７を介してこの読み出し指示を受信すると、媒体制御回路群４２を制御することにより、登録データ保存領域１０３ａから上記の検索条件に該当する登録情報を抽出情報（抽出情報群）として読み出す（Ｓ３）。再生制御部５１は、抽出情報を読み出すと、送受信部５７を介して記録装置１に送信する。
【０１６２】
記録装置１では、データ解凍部２２は、送受信部２７を介して再生装置２が読み出した抽出情報を受信する。登録データ保存領域１０３ａには登録情報が圧縮されて記録されているので、読み出された抽出情報も圧縮されている。このため、データ解凍部２２は、この圧縮されている抽出情報を、例えば記憶部１４に保存されている解凍プログラムを用いて解凍する（Ｓ４）。データ解凍部２２は、抽出情報の解凍が完了すると、この抽出情報を検索制御部２８に送信する。
【０１６３】
検索制御部２８は、解凍された抽出情報を受信すると、この抽出情報に対する検索回数をインクリメントし（新規の抽出情報の場合には検索回数「１」を付与する）、この検索回数と、Ｓ２で受け付けた検索条件と、発行した検索履歴ＩＤとを対応付けた検索履歴情報を生成し、さらにこの検索履歴情報を抽出情報と対応付ける。そして、検索制御部２８は、この検索履歴情報と抽出情報とを保存制御部２３に送信する。保存制御部２３は、これらの情報を受信すると、記憶部１４に保存する。つまり、検索制御部２８は、保存制御部２３を介して、検索条件に合致する抽出情報を記憶部１４に保存（バッファにコピー）する（Ｓ５）。
【０１６４】
保存制御部２３は、記憶部１４に検索履歴情報と対応付けられた抽出情報を保存すると、その旨を検索制御部２８に通知する。検索制御部２８は、保存した抽出情報を表示装置４に表示させるための表示指示を、表示制御部３０に送信する。表示制御部３０は、この表示指示を受けると、記憶部１４に保存された抽出情報を表示装置４に表示させる（Ｓ６）。
【０１６５】
一方、検索制御部２８は、ユーザが過去の検索結果の利用を選択したと判断すると（Ｓ１で「過去検索結果利用」）、過去に検索履歴記録領域１０３ｂに記録された検索履歴情報を当該領域から読み出すための読み出し指示を、送受信部２７を介して再生装置２に送信する。再生装置２では、再生制御部５１は、この読み出し指示を受信すると、媒体制御回路群４２を制御することにより、検索履歴記録領域１０３ｂに記録された検索履歴情報を読み出す（Ｓ７）。再生制御部５１は、検索履歴情報を読み出すと、送受信部５７を介して記録装置１に送信する。
【０１６６】
記録装置１では、検索制御部２８は、送受信部２７を介して再生装置２が読み出した検索履歴情報を受信すると、この検索履歴情報に含まれる検索条件をユーザに選択させるための選択画像を表示装置４に表示させるために、当該画像の表示指示を表示制御部３０に送信する。表示制御部３０は、この表示指示を受けると、条件選択画像を作成し表示装置４に表示させる。
【０１６７】
ユーザは、表示装置４に表示される選択画像を見ながら、操作装置３を用いて検索条件の選択（項目の絞込み（複数の項目の選択））を行う。すなわち、検索制御部２８は、操作装置３を介したユーザ操作に応じた操作信号を操作装置３から受信すると、この操作信号を解析することにより、ユーザがどの検索条件を選択したかを判断する（Ｓ８）。
【０１６８】
検索制御部２８は、どの検索条件が選択されたかを判断すると、選択された検索条件に対応付けられた（すなわち、この検索条件に対応付けられた検索履歴ＩＤに対応する）抽出情報（抽出情報群）を抽出データ保存領域１０３ｃから読み出すために、その読み出し指示を再生装置２に送信する。再生装置２では、再生制御部５１は、この読み出し指示を受信すると、媒体制御回路群４２を制御することにより、抽出データ保存領域１０３ｃに記録された、ユーザにより選択された抽出情報を読み出す（Ｓ９）。再生制御部５１は、抽出情報を読み出すと、送受信部５７を介して記録装置１に送信する。
【０１６９】
記録装置１では、検索制御部２８は、送受信部２７を介して再生装置２が読み出した抽出情報を受信すると、検索回数をインクリメントし、Ｓ７で読み出した検索履歴情報を更新する。そして、検索制御部２８は、抽出情報および検索履歴情報を保存制御部２３に送信することにより、Ｓ５の処理に移行する。
【０１７０】
Ｓ６にて表示装置４が抽出情報を表示すると、ユーザは、抽出情報に対する編集処理を行う（Ｓ１０）。具体的には、ユーザは、光ディスク１００に電話帳データが記録されている場合には、表示されている抽出情報のうち不要な抽出情報の削除、新規の登録情報（追加情報）の追加、表示されている抽出情報における項目のうち不要な項目の削除などを、操作装置３を介して編集処理として行う。編集制御部２９は、これらの処理に対する操作信号を操作装置３から受信すると、記憶部１４に保存されている抽出情報および検索履歴情報を読み出し、例えば表示されている複数の抽出情報から１つの抽出情報を削除や、抽出情報の項目の削除（「抽出項目」の該当する項目の「１」を「０」に書き換え）を行うことで、編集後の抽出情報を作成する。また、編集制御部２９は、新規の追加情報の入力を受け付けた場合には、この追加情報を記憶部１４に保存する。すなわち、編集制御部２９は、抽出情報の編集を記憶部１４（バッファ）上で行うことで、ユーザの編集処理に従った編集を行う。
【０１７１】
また、Ｓ１０の編集において、編集制御部２９は、操作信号を解析することにより、ユーザが新規の抽出情報の検索または編集処理の終了を選択したか否かを判断している（Ｓ１１）。編集制御部２９は、新規の抽出情報の検索を行う旨の操作信号を受信した場合には（Ｓ１１で「新規情報検索」）、検索制御部２８にその旨を通知し、Ｓ１の処理に戻る。一方、編集制御部２９は、編集処理を終了し、編集後の抽出情報を保存する旨の操作信号（保存・終了コマンド）を受信した場合には（Ｓ１１で「保存・終了」）、まず新規に追加された追加情報を光ディスク１００に記録するか否かの選択をユーザに行わせる。このため、編集制御部２９は、この選択を行わせるための選択画像を表示装置４に表示させるために、当該画像の表示指示を表示制御部３０に送信する。表示制御部３０は、この表示指示を受信すると、この選択画像を作成し表示装置４に表示させる。
【０１７２】
ユーザは、表示装置４に表示される選択画像を見ながら、操作装置３を用いて新規の追加情報を光ディスク１００に記録するか否かの判断結果の入力を行う。編集制御部２９は、この入力を示す操作信号を操作装置３から受信すると、この操作信号を解析することにより、新規の追加情報（新規追加データ）を光ディスク１００に記録（保存）するか否かを判定する（Ｓ１２）。
【０１７３】
編集制御部２９は、ユーザの入力操作に基づき、新規の追加情報を光ディスク１００に記録すると判定した場合には（Ｓ１２にてＹＥＳ）、その旨をデータ圧縮部２４に通知する。データ圧縮部２４は、この通知を受けると、記憶部１４からＳ１０にて追加された追加情報を圧縮し（Ｓ１３）、圧縮後の追加情報を記録制御部２５に送信する。記録制御部２５は、圧縮された追加情報を受信すると、媒体制御回路群１２を制御することにより、追加データ保存領域１０３ｄ（「データ追加領域」）に記録する（Ｓ１４）。記録制御部２５は、追加情報の記録が完了すると、記録完了通知を編集制御部２９に送信する。
【０１７４】
編集制御部２９は、記録完了通知を受信すると、次に編集後の抽出情報を光ディスク１００に記録するか否かの選択をユーザに行わせる。編集制御部２９は、Ｓ１２と同様の処理を行うことで、編集後の抽出情報を光ディスク１００に記録（保存）するか否かを判定する（Ｓ１５）。編集後の抽出情報とは、Ｓ１０の処理後の抽出情報であり、例えば不要な抽出情報が削除された抽出情報（群）や不要な項目が削除された抽出情報などを指す。また、編集制御部２９は、Ｓ１２にてＮＯの場合にもＳ１５の処理に移行する。
【０１７５】
なお、例えばＳ１２で「保存・終了」選択後の処理が開始される時点で、再生制御部５１は、編集制御部２９からその旨の通知を受けることにより、挿入されている光ディスク１００を排出する。光ディスク１００が排出されると、ユーザは、光ディスク１００を記録装置１に装填する。記録装置１では、光ディスク１００が装填されると、媒体装填確認部１１が検出信号を制御部１３に送信する。制御部１３は、装填された情報記録媒体が光ディスク１００であることを確認するために、媒体制御回路群１２を制御することにより、情報記録媒体の管理領域からこの情報記録媒体の種類などを示す情報を読み出す。そして、制御部１３は、この情報を解析することにより、情報記録媒体が光ディスク１００であるか否かを確認する。なお、光ディスク１００の排出および挿入は、Ｓ３またはＳ９の処理後Ｓ１４の処理までの間（すなわち再生装置２での情報の読み出し完了後、記録装置１による情報の書き込みまでの間）に行われればよく、また、排出はユーザが手動で行ってもよい。
【０１７６】
編集制御部２９は、ユーザの入力操作に基づき、編集後の抽出情報を光ディスク１００に記録すると判定した場合には（Ｓ１５でＹＥＳ）、編集後の抽出情報のうち、光ディスク１００に記録する抽出情報の選択と、選択された抽出情報の光ディスク１００内での並び替えとをユーザに行わせるための画像を表示させるように、選択／並び替え用の画像の表示指示を表示制御部３０に送信する。表示制御部３０は、表示指示を受けると、この画像を表示装置４に表示させる。
【０１７７】
ユーザは、表示装置４に表示される選択／並び替え用の画像を見ながら、操作装置３を用いて、記録する抽出情報の選択と、選択された抽出情報の並び替えとを行う（Ｓ１６）。編集制御部２９は、これらの処理を示す操作信号を操作装置３から受信すると、この操作信号を解析することにより、選択された抽出情報の光ディスク１００における記録位置を決定し、その抽出情報の並べ替え（ユーザが指示した並べ替え）を記憶部１４上で行う。そして、編集制御部２９は、その並べ替えが完了した旨を記録制御部２５に通知する。
【０１７８】
記録制御部２５は、この通知を受けると、ユーザの指示どおりに並べ替えられた抽出情報（編集データ）と、当該抽出情報の記録位置を示す位置情報とを記憶部１４から読み出し、抽出データ保存領域１０３ｃの所定の位置に記録する（Ｓ１７）。記録制御部２５は、この抽出情報の記録が完了すると、記録完了通知を編集制御部２９に送信する。
【０１７９】
編集制御部２９は、記録完了通知を受信すると、次に検索履歴情報（検索履歴）を光ディスク１００に記録するか否かの選択をユーザに行わせる。編集制御部２９は、Ｓ１２と同様の処理を行うことで、検索履歴情報を光ディスク１００に記録（保存）するか否かを判定する（Ｓ１８）。また、編集制御部２９は、Ｓ１５にてＮＯの場合にもＳ１８の処理に移行する。
【０１８０】
編集制御部２９は、ユーザの入力操作に基づき、検索履歴情報を光ディスク１００に記録すると判定した場合には（Ｓ１８でＹＥＳ）、その旨を記録制御部２５に通知する。記録制御部２５は、この通知を受けると、記憶部１４から検索履歴情報（検索結果）を読み出し、検索履歴記録領域１０３ｂに記録し（Ｓ１９）、図６に示す処理が終了する。また、Ｓ１８にてＮＯの場合にも図６に示す処理が終了する。
【０１８１】
なお、上記では、Ｓ１２からＳ１９の処理はこの順で行われているが、これに限られたものではない。例えば、Ｓ１２、Ｓ１５およびＳ１８におけるユーザによる選択（編集制御部２９による判定）を３回繰り返すのではなく、３回分の動作を一括でユーザが選択し、一括選択後に自動的に順次記録されていく構成であってもよい。
【０１８２】
この場合、編集制御部２９は、新規の追加情報、編集後の抽出情報および検索履歴情報を光ディスク１００に記録するか否かの選択を表示装置４を介してユーザに問合せ、ユーザは、操作装置３を用いてこれらの情報それぞれを光ディスク１００に記録するかどうかの判断結果を一括入力する。編集制御部２９は、この判断結果を示す操作信号を受信すると、それぞれの判断結果に応じた処理を実行する。例えば、ユーザが新規の追加情報については光ディスク１００に記録しないが、編集後のデータおよび検索履歴情報については記録する旨の一括入力を行った場合には、編集制御部２９は、この一括入力を示す操作信号を受信した後、Ｓ１３への移行処理を行わず、Ｓ１６およびＳ１９の移行処理を行う。また、それぞれの判断結果に応じた処理は、どのような順番で行われてもよい。
【０１８３】
また、図６に示すフローチャートでは、Ｓ１２、Ｓ１５およびＳ１８のユーザによる選択（編集制御部２９による判定）がこの順で行われる必要はなく、どのような順で処理が行われてもよい。
【０１８４】
〔各装置における処理の流れ（その２）〕
次に、図７を用いて、記録再生システム１０における処理の流れ、特に記録装置１および再生装置２における処理の流れの別例について説明する。図７は、記録再生システム１０における処理の流れの別例を示すフローチャートであり、検索処理が記録装置１にて自動で行われ、編集処理がユーザの入力操作によって実現される場合の処理の流れを示すものである。なお、図６に示す処理と同様、まず再生装置２に光ディスク１００が装填され、例えばＳ４１の処理後に排出され、記録装置１に装填されるものとする。
【０１８５】
まず、検索制御部２８は、再生装置２から装填された情報記録媒体が光ディスク１００である旨の通知を受けると、Ｓ２と同様の処理を行うことで、ユーザが操作装置３を介して入力した検索条件の入力を受け付ける（Ｓ３１）。検索制御部２８は、この入力を受け付けると、次に、過去の検索結果として記録されている検索履歴情報を検索履歴記録領域１０３ｂから読み出すための読み出し指示を、送受信部２７を介して再生装置２に送信する。
【０１８６】
再生装置２では、再生制御部５１は、送受信部５７を介してこの読み出し指示を受信すると、媒体制御回路群４２を制御することにより、検索履歴記録領域１０３ｂから検索履歴情報を読み出す（Ｓ３２）。再生制御部５１は、検索履歴情報を読み出すと、送受信部５７を介して記録装置１に送信する。
【０１８７】
記録装置１では、検索制御部２８は、送受信部２７を介して再生装置２が読み出した検索履歴情報を受信すると、Ｓ３１で入力された検索条件と、Ｓ３２で読み出された過去の検索履歴情報に含まれる検索条件（過去検索条件）とが一致するか否かを判定する（Ｓ３３）。
【０１８８】
検索制御部２８は、上記２つの検索条件が一致しないと判定した場合（Ｓ３３でＮＯ）、登録データ保存領域１０３ａから、Ｓ３１で入力された検索条件を含む登録情報を抽出情報として読み出すための読み出し信号を、送受信部２７を介して再生装置２に送信する。
【０１８９】
再生装置２では、再生制御部５１は、送受信部５７を介してこの読み出し指示を受信すると、媒体制御回路群４２を制御することにより、登録データ保存領域１０３ａから上記の検索条件に該当する登録情報を抽出情報（抽出情報群）として読み出す（Ｓ３４）。再生制御部５１は、抽出情報を読み出すと、送受信部５７を介して記録装置１に送信する。
【０１９０】
記録装置１では、データ解凍部２２は、送受信部２７を介して再生装置２が読み出した抽出情報を受信すると、圧縮されている抽出情報を、記憶部１４に保存されている解凍プログラムを用いて解凍する（Ｓ３５）。データ解凍部２２は、抽出情報の解凍が完了すると、この抽出情報を検索制御部２８に送信する。その後のＳ３６およびＳ３７の処理は、図６に示すＳ５およびＳ６の処理とそれぞれ同様であるので、ここではその説明を省略する。
【０１９１】
一方、検索制御部２８は、Ｓ３１で入力された検索条件と、Ｓ３２で読み出された過去検索条件とが一致すると判定した場合（Ｓ３３でＹＥＳ）、抽出データ保存領域１０３ｃに記録されている全抽出情報と、全抽出情報に対応付けられた検索履歴情報とを読み出すための読み出し指示を、送受信部２７を介して再生装置２に送信する。再生装置２では、再生制御部５１は、この読み出し指示を受信すると、媒体制御回路群４２を制御することにより、抽出データ保存領域１０３ｃおよび検索履歴記録領域１０３ｂに記録された抽出情報および検索履歴情報を読み出す（Ｓ３８）。再生制御部５１は、抽出情報および検索履歴情報を読み出すと、送受信部５７を介して記録装置１に送信する。
【０１９２】
記録装置１では、検索制御部２８は、送受信部２７を介して再生装置２が読み出した抽出情報および検索履歴情報を受信すると、検索回数をインクリメントすることにより当該検索履歴情報を更新する。そして、検索制御部２８は、抽出情報および検索履歴情報を保存制御部２３に送信することにより、Ｓ３６の処理に移行する。
【０１９３】
Ｓ３７にて表示装置４が抽出情報を表示すると、表示制御部３０は、その旨を検索制御部２８に通知する。検索制御部２８は、この通知を受けると、検索を終了させるか否かを判定する（Ｓ３９）。具体的には、検索制御部２８は、検索を終了するか否かをユーザに確認させるための確認用画像を表示装置４に表示させるように表示制御部３０に指示し、ユーザは、表示装置４に表示された確認用画像を見ながら、操作装置３を用いて終了させるか否かの判断結果を入力する。検索制御部２８は、入力された判断結果を示す操作信号を操作装置３から受信すると、この操作信号を解析することにより、検索を終了させるか否かの判定を行う。
【０１９４】
検索制御部２８は、検索を終了させると判定した場合には（Ｓ３９でＹＥＳ）、その旨を編集制御部２９に通知する一方、検索が終了していないと判定した場合には（Ｓ３９でＮＯ）、再びＳ３１の処理を行う。
【０１９５】
なお、Ｓ３９では、検索制御部２８は、Ｓ３１での検索条件の入力により、登録データ保存領域１０３ａまたは抽出データ保存領域１０３ｃに記録されている情報（登録情報または抽出情報）のうち、ユーザにより編集の対象となる全情報の読み出しが完了したか否かの判定を行っている。この処理を行うことにより、検索制御部２８は、検索キーワードとして一括して複数の単語が入力されることにより１回の検索で上記の保存領域からユーザ所望の全情報を読み出させるだけでなく、１回ずつ異なる単語が入力される（複数の単語が分割入力される）ことにより２回以上の検索で上記全情報を読み出させることも可能となる。これは、例えばユーザが複数の業種や複数の都道府県に跨る情報に対する編集を行うことを所望している場合に有効な処理である。
【０１９６】
つまり、検索制御部２８は、複数回の検索により光ディスク１００から読み出された抽出情報の編集を一度に行うことをユーザが所望している場合にも対応できるように、Ｓ３９の処理（検索終了の判定処理）を行う仕組みを備えているといえる。
【０１９７】
その後のＳ４０〜Ｓ４９の処理については、図６に示すＳ１０〜Ｓ１９の処理と同様であるので、ここではこれらの処理の説明を省略する。
【０１９８】
〔各装置における処理の流れ（その３）〕
次に、図８を用いて、記録再生システム１０における処理の流れ、特に記録装置１および再生装置２における処理の流れの更なる別例について説明する。図８は、記録再生システム１０における処理の流れの更なる別例を示すフローチャートであり、検索処理がユーザの入力操作にて行われ、編集処理が記録装置１にて自動で行われることによって実現される場合の処理の流れを示すものである。なお、Ｓ６１〜Ｓ７０の処理は、図６に示すＳ１〜Ｓ１０の処理と同様であるので、ここではその説明を省略する。また、図６に示す処理と同様、まず再生装置２に光ディスク１００が装填され、例えばＳ７１の処理後に排出され、記録装置１に装填されるものとする。
【０１９９】
Ｓ７０の編集において、編集制御部２９は、操作信号を解析することにより、ユーザが新規の抽出情報の検索または編集処理の終了を選択したか否かを判断している（Ｓ７１）。編集制御部２９は、新規の抽出情報の検索を行う旨の操作信号を受信した場合には（Ｓ７１で「新規情報検索」）、検索制御部２８にその旨を通知し、Ｓ６１の処理に戻る。一方、編集制御部２９は、編集処理を終了する旨の操作信号（終了コマンド）を受信した場合には（Ｓ７１で「終了」）、記憶部１４を参照することにより、新規に追加された追加情報が存在するか否かを判定する（Ｓ７２）。検索制御部２８は、追加情報が存在する（記憶部１４に追加情報が記録されている）と判定した場合には（Ｓ７２でＹＥＳ）、その旨をデータ圧縮部２４に通知する。
【０２００】
データ圧縮部２４は、この通知を受けると、記憶部１４からＳ７０にて追加された追加情報（新規追加データ）を圧縮し（Ｓ７３）、圧縮後の追加情報を記録制御部２５に送信する。記録制御部２５は、圧縮された追加情報を受信すると、媒体制御回路群１２を制御することにより、追加データ保存領域１０３ｄに記録する（Ｓ７４）。記録制御部２５は、追加情報の記録が完了すると、記録完了通知を編集制御部２９に送信する。
【０２０１】
編集制御部２９は、記録完了通知を受信すると、その旨を記録位置決定部２６に通知する。記録位置決定部２６は、記憶部１４に保存された抽出情報を抽出データ保存領域１０３ｃに記録するときに、並べ替えが必要であるか否かを判定し（Ｓ７５）、必要である場合には（Ｓ７５でＹＥＳ）、記憶部１４（バッファ）上にて当該抽出情報の並べ替え（光ディスク１００における抽出情報の記録位置の決定）処理を行う（Ｓ７６）。なお、記録位置決定部２６による並べ替え処理については後述する。
【０２０２】
記録位置決定部２６は、並べ替え処理が完了すると（記録位置を決定すると）、その旨を記録制御部２５に送信する。記録制御部２５は、この通知を受けると、並べ替え処理後の抽出情報と、当該抽出情報（もしくは最も内周側に記録される抽出情報）の記録位置を示す位置情報と記憶部１４から読み出し、抽出データ保存領域１０３ｃの所定の位置に記録する（Ｓ７７）。
【０２０３】
なお、記録位置決定部２６は、Ｓ７５にて並べ替え処理を行わないと判断した場合には（Ｓ７５でＮＯ）、その旨を記録制御部２５に通知する。この場合、記録制御部２５は、抽出情報に対応付けられている検索履歴情報（「記録番号」）に対応する位置に、抽出情報を記録する。
【０２０４】
さらに、記録制御部２５は、抽出データ保存領域１０３ｃへの記録を完了すると、記憶部１４に保存されている検索履歴情報（検索条件）を読み出して、検索履歴記録領域１０３ｂに記録し（Ｓ７８）、図８に示す処理が終了する。
【０２０５】
〔各装置における処理の流れ（その４）〕
次に、図９を用いて、記録再生システム１０における処理の流れ、特に記録装置１および再生装置２における処理の流れの更なる別例について説明する。図９は、記録再生システム１０における処理の流れの更なる別例を示すフローチャートであり、検索処理および編集処理が記録装置１にて自動で行われることによって実現される場合の処理の流れを示すものである。なお、Ｓ９１〜Ｓ１００の処理については、図７に示すＳ３１〜Ｓ４０の処理と同様であり、Ｓ１０１〜Ｓ１０８の処理については、図８に示すＳ７１〜Ｓ７８と同様であるので、ここではその説明を省略する。また、図６に示す処理と同様、まず再生装置２に光ディスク１００が装填され、例えばＳ１０１の処理後に排出され、記録装置１に装填されるものとする。
【０２０６】
〔抽出情報の保存（並べ替え処理）方法〕
次に、図１０〜図１３を用いて、抽出データ保存領域１０３ｃに記録される抽出情報の保存（並べ替え処理）方法について説明する。図１０は、抽出データ保存領域１０３ｃに抽出情報が保存される様子を示す図であり、図１０（ａ）は、検索日時順に内周側から抽出情報が記録されていく様子を示すものである。また、図１１は、過去の検索条件毎に（検索日時順に）内周側から抽出情報が記録されていく様子を示す図であり、図１１（ａ）は、抽出データ保存領域１０３ｃに記録容量がある場合の様子を示すものであり、図１１（ｂ）は、抽出データ保存領域１０３ｃに記録容量がない場合の様子を示すものである。なお、ここでは、図６、図８、図１５および図１７に示すように、新規検索が行われ、登録データ保存領域１０３ａから登録情報の少なくとも一部として抽出情報が読み出される場合の処理として説明する。
【０２０７】
まず、過去の検索条件毎に抽出情報が記録される場合には、図１０（ａ）に示すように検索日時順に記録される。例えば、検索条件Ａ、Ｂ、Ｃの順に、当該検索条件を用いて検索が行われた場合、抽出データ保存領域１０３ｃの内周側から、検索条件Ａディレクトリ、検索条件Ｂディレクトリ、検索条件Ｃディレクトリにそれぞれ対応付けられた抽出データ群（抽出情報）Ａ、Ｂ、Ｃの順に記録される。
【０２０８】
例えば、図１１（ａ）に示すように、新規検索前の状態（光ディスク１００が記録装置１に挿入されたときの状態）において、抽出データ保存領域１０３ｃの内周側から、検索条件Ａ〜Ｄ（検索条件Ａディレクトリ〜検索条件Ｄディレクトリ）にそれぞれ対応付けられた抽出データ群Ａ〜Ｄが、この順に記録されている。すなわち、検索日時の最も古いものが抽出データ群Ａである。
【０２０９】
ユーザによる検索処理・編集処理が行われた（例えば図６のＳ１〜Ｓ６、Ｓ１０およびＳ１１の処理が行われた）ときに、検索条件Ｅが入力され、これに対応する抽出データ群Ｅが登録データ保存領域１０３ａから読み出されたものとする。
【０２１０】
この場合、記録位置決定部２６は、記録位置の決定方法が「検索日時順」に設定されている場合、抽出データ群Ｄに付与されている記録番号の次の番号を付与することにより、抽出データ群Ｅの記録位置を決定する。そして、記録制御部２５が、この記録位置に抽出データ群Ｅを記録することにより、図１１（ａ）に示すように、抽出データ群Ｄの後ろに抽出データ群Ｅが追加される。
【０２１１】
また、図１１（ｂ）に示すように、新規検索前の状態において、抽出データ保存領域１０３ｃの内周側から検索条件Ａ〜Ｉが記録されており、抽出データ保存領域１０３ｃの記録容量の空きがない。この光ディスク１００が挿入されている状態で、上記の検索処理・編集処理が行われたときに、検索条件Ｘが入力され、これに対応する抽出データ群Ｘが登録データ保存領域１０３ａから読み出されたものとする。
【０２１２】
この場合、記録装置１では、（１）ユーザによる上書きデータの選択、または、（２）内周側から自動的に上書きのどちらかの処理が行われる。
【０２１３】
（１）の場合、記録位置決定部２６は、例えば抽出データ群Ｉに付与されている記録番号が付与できる最大の番号であると判断すると、その旨を編集制御部２９に通知する。編集制御部２９は、この通知を受けると、抽出データ保存領域１０３ｃに記録されている抽出情報のうち上書きしてもよい抽出情報の選択をユーザに行わせるための選択画像を表示装置４に表示させるように、当該画像の表示指示を表示制御部３０に送信する。表示制御部３０は、この表示指示を受信すると、表示装置４に通知画像を表示させる。
【０２１４】
ユーザは、表示装置４に表示される選択画像を見ながら、操作装置３を用いて上記の選択を行う。すなわち、検索制御部２８は、操作装置３を介したユーザ操作に応じた操作信号を操作装置３から受信すると、この操作信号を解析することにより、ユーザがどの抽出情報を選択したかを判断する。
【０２１５】
例えば、ユーザが上書きしてもよい抽出情報として抽出データ群Ｄを選択したとすると、検索制御部２８は、その旨を記録位置決定部２６に通知する。記録位置決定部２６は、この通知を受けると、抽出データ群Ｄの記録番号を抽出データ群Ｘに付与することにより、抽出データ群Ｘの記録位置を決定する。そして、記録制御部２５が、この記録位置に抽出データ群Ｘを記録することにより、図１１（ｂ）の（１）に示すように、抽出データ群Ｄが記録されていた位置に抽出データ群Ｘが上書きされる。
【０２１６】
なお、抽出データ保存領域１０３ｃに記録容量の空きがないことを、例えば光ディスク１００が挿入されたときに行われる情報記録媒体の種別確認時に、記録装置１または再生装置２が認識する構成であってもよい。
【０２１７】
一方、（２）の場合、記録位置決定部２６は、例えば抽出データ群Ｉに付与されている記録番号が付与できる最大の番号であると判断すると、その旨を記録位置決定部２６に通知する。記録位置決定部２６は、この通知を受けると、抽出データ保存領域１０３ｃに記録されている最も検索制御部が古い抽出情報である抽出データ群Ａの記録位置を、抽出データ群Ｘの記録位置として決定する。そして、記録制御部２５が、この記録位置に抽出データ群Ｘを記録することにより、図１１（ｂ）の（２）に示すように、抽出データ群Ａが記録されていた位置に抽出データ群Ｘが自動的に上書きされる。
【０２１８】
次に、検索回数順に内周側から抽出情報が記録されていく様子について、図１０（ｂ）、図１２および図１３を用いて説明する。図１０（ｂ）は、検索回数順に内周側から抽出情報が記録されていく様子を示すものである。また、図１２は、データ長が一定である抽出情報が検索回数順に内周側から記録されていく様子を示す図であり、図１３は、データ長が一定ではない抽出情報が検索回数順に内周側から記録されていく様子を示す図である。
【０２１９】
なお、図１２および図１３では、新規検索前の状態として、抽出データ保存領域１０３ｃの記録容量に空きがないものとする。また、記録位置決定部２６は、同じ検索回数の抽出情報については、後に検索された方（検索日時が古い方）の抽出情報を優先的に内周側の記録位置に決定するようになっている。さらに、記録位置決定部２６は、抽出データ保存領域１０３ｃの記録容量に空きがない場合には、検索回数が少ない抽出情報から順に上書きするものとする。また、データ毎の検索回数を括弧内に示している。
【０２２０】
また、本実施の形態では、Ｓ１２の処理の開始時点で、光ディスク１００を再生装置２から記録装置１へと装填しなおしている。このため、記録位置決定部２６が抽出情報の読み出し指示を再生装置２に送信するときには、制御部１３は、記録装置１から光ディスク１００を排出させるとともに、再生装置２への装填をユーザに指示する画像を表示装置４に表示させるように表示制御部３０に指示してもよい。また、抽出情報の読み出しが完了したら、制御部４３は、再生装置２から光ディスク１００を排出させるとともに、記録装置１への装填をユーザに指示する画像を表示装置４に表示させるように、送受信部５７および２７を介して表示制御部３０に指示してもよい。
【０２２１】
図１０（ｂ）では、データ（抽出情報）Ｓ、Ｔ、Ｕ、Ｖの順に検索回数が多く、その検索回数の多い順にこれらのデータが記録されている。例えば、図１２に示すように、新規検索前の状態において、抽出データ保存領域１０３ｃの内周側から、データ長が一定である抽出情報として、データＳ、Ｔ、Ｕ、Ｖ、…、Ｘ、Ｙ、Ｚがこの順に記録されている。すなわち、検索回数の最も多いものがデータＳである。
【０２２２】
この場合、検索条件Ｅの入力によりデータＵ、Ｖ、Ｙ、Ａが登録データ保存領域１０３ａから読み出された場合、検索制御部２８は、これらのデータに対する検索回数をインクリメントする（新規のデータＡには検索回数「１」を付与する）ことにより、バッファ（記憶部１４）上で検索回数の更新（書き換え）を行う。すなわち、検索制御部２８は、バッファに検索回数をそれぞれ１回増加させたデータＵ、Ｖ、Ｙ、Ａを保存する。図１２では、検索制御部２８は、データＵの検索回数は３０から３１に、データＵの検索回数は１０から１１に、データＹの検索回数は１から２に、それぞれ増加させて保存している。また、新規のデータＡの検索回数を１にして保存している。
【０２２３】
この状態で記録位置を決定することになると、記録位置決定部２６は、抽出データ保存領域１０３ｃから、検索回数が更新された抽出情報から、当該抽出情報の更新前（検索されている抽出情報は除く）あるいは更新後の検索回数と同じ検索回数の先頭の抽出情報までをバッファに読み出すための読み出し指示を再生装置２に送信する。つまり、記録位置決定部２６は、検索回数が更新された抽出情報と、この更新前あるいは更新後の検索回数が同じすべての抽出情報を読み出すように、再生装置２に指示する。再生装置２では、再生制御部５１が、この読み出し指示に対応する抽出情報を読み出し、記録装置１に送信する。記録装置１では、記録位置決定部２６が、再生装置２から送信される、抽出データ保存領域１０３ｃから読み出された抽出情報をバッファに保存する。図１２では、記録位置決定部２６は、データＵの更新前の検索回数と同じ抽出情報であるデータＴ、データＹの更新後の検索回数と同じ抽出情報であるデータＸが、抽出データ保存領域１０３ｃから新たに読み出される。
【０２２４】
記録位置決定部２６は、抽出データ保存領域１０３ｃから読み出された抽出情報（データＴおよびデータＸ）をバッファに保存すると、検索回数が更新された抽出情報の記録位置を、読み出した抽出情報の中で最も内周側の記録位置となるように、各抽出情報の記録番号の変更を行う。図１２では、記録位置決定部２６は、データＴおよびデータＵの記録番号の記録しなおし（入れ替え）、データＸおよびデータＹの記録番号の記録しなおしを行うことで、それぞれのデータの記録位置を決定する。また、記録位置決定部２６は、抽出データ保存領域１０３ｃの記録容量に空きがなく、データＺには最大の記録番号が付与されているため、データＺの記録番号をデータＡの記録番号とすることにより、データＡの記録位置を決定する。
【０２２５】
そして、記録制御部２５が、この記録位置に各データを記録することにより、図１２に示すように、データＴとデータＵ、データＸとデータＹが自動的に記録しなおされ、データＺがデータＡに上書きされる。また、記録制御部２５は、例えば図８に示すＳ７８にて、検索履歴情報を検索履歴記録領域１０３ｂに記録することにより、検索回数が更新された抽出情報として抽出データ保存領域１０３ｃに記録しておくことができる（図１２のデータＶ）。
【０２２６】
一方、例えば図１３に示すように、新規検索前の状態において、抽出データ保存領域１０３ｃの内周側から、データ長がそれぞれ異なる抽出情報として、データＳ、Ｔ、Ｕ、Ｖ、…、Ｘ、Ｙ、Ｚがこの順に記録されている。すなわち、検索回数の最も多いものがデータＳである。
【０２２７】
この場合、検索条件Ｅの入力によりデータＵ、Ｖ、Ｙ、Ａが登録データ保存領域１０３ａから読み出された場合、検索制御部２８は、図１２と同様の処理を行うことで、データＵの検索回数は３０から３１に、データＵの検索回数は１０から１１に、データＹの検索回数は１から２に、それぞれ増加させて保存している。また、新規のデータＡの検索回数を１にして保存している。
【０２２８】
この状態で記録位置を決定することになると、記録位置決定部２６は、抽出データ保存領域１０３ｃから、最も内周側に記録されていた検索回数が更新された抽出情報から、当該抽出情報の更新後の検索回数と同じ検索回数の先頭の抽出情報までをバッファに読み出すための読み出し指示を再生装置２に送信する。つまり、記録位置決定部２６は、検索回数が更新された抽出情報のうち最も検索回数の多い抽出情報と、この更新後の検索回数が同じすべての抽出情報を読み出すように、再生装置２に指示する。再生装置２では、再生制御部５１が、この読み出し指示に対応する抽出情報を読み出し、記録装置１に送信する。記録装置１では、記録位置決定部２６が、再生装置２から送信される、抽出データ保存領域１０３ｃから読み出された抽出情報をバッファに保存する。図１２では、記録位置決定部２６は、図１３では、バッファに保存されている検索回数が最も多い抽出情報が、データＵ（３１回）であるので、検索制御部２８は、抽出データ保存領域１０３ｃに記録されているデータＳ以外のすべてを読み出すように再生装置２に指示している。
【０２２９】
記録位置決定部２６は、抽出データ保存領域１０３ｃから読み出された抽出情報（データＳ以外）をバッファに保存すると、保存した抽出情報の検索回数を参照することにより、当該抽出情報を、検索回数の多い順に抽出データ保存領域１０３ｃの内周側に記録されるように記録番号を付与する。このとき付与される最も小さい記録番号は、記録位置決定部２６の指示により読み出された抽出情報の最も小さい記録番号（図１３では、データＴの記録番号）と一致する。また、図１３では、データＡにも記録番号を付与しているので、抽出データ保存領域１０３ｃにはデータＺを記録できる記録スペースがない。このため、データＺには記録番号を付与しない。このため、記録位置決定部２６は、データＵ〜Ａの記録位置を決定する。そして、記録制御部２５が、この記録位置に各データを記録することにより、図１３に示すように、新規検索前の状態において抽出データ保存領域１０３ｃに記録されているデータＴ〜Ｚに（すなわちデータＴの位置から）、データＵ〜Ａを自動的に上書きする。
【０２３０】
〔記録装置１の変形例〕
次に、図１４を用いて、本実施の形態に係る記録装置１の変形例における概略構成の一例について説明する。図１４は、本実施の形態に係る記録再生システム１０における記録装置１（変形例）および再生装置２の概略構成の一例を示すブロック図である。
【０２３１】
本変形例では、登録情報に予め鍵情報が設定されている場合や、抽出情報に鍵情報を設定して管理する場合など、登録情報または抽出情報が読み出されるときの照合（データに鍵が付与されているかを確認する鍵照合処理）や、これらの情報に鍵情報の設定（データに鍵を付与する鍵付与処理）を行う場合について説明する。この処理を実現するために、本変形例に係る記録装置１の制御部１３は、図１の構成に加え、鍵情報付与部３１（鍵情報付与手段）および鍵照合制御部３２を備えている。
【０２３２】
鍵情報付与部３１は、送受信部２７が受信した抽出情報に、当該抽出情報の外部での利用を制限するための鍵情報を付与するものである。
【０２３３】
鍵照合制御部３２は、ユーザ入力により取得した鍵情報、または、記憶部１４に保存されている鍵情報と、光ディスク１００に記録されている抽出情報に付与されている鍵情報との照合を行うものである。
【０２３４】
〔変形例における処理の流れ（その５）〕
次に、図１５を用いて、記録再生システム１０における処理の流れ、特に記録装置１（変形例）および再生装置２における処理の流れについて説明する。図１５は、記録再生システム１０における処理の流れを示すフローチャートであり、検索処理および編集処理がユーザの入力操作によって実現される場合の処理の流れを示すものである。なお、Ｓ１２１〜Ｓ１２６およびＳ１３２〜Ｓ１３８の処理については、図６に示すＳ１〜Ｓ６およびＳ１０〜Ｓ１６の処理と同様であるので、ここではその説明を省略する。また、図６に示す処理と同様、まず再生装置２に光ディスク１００が装填され、例えばＳ１３３の処理後に排出され、記録装置１に装填されるものとする。
【０２３５】
検索制御部２８は、ユーザが過去の検索結果の利用を選択した判断すると（Ｓ１２１で「過去検索結果利用」）、過去に検索履歴記録領域１０３ｂに記録された検索履歴情報（過去検索条件および編集履歴（図５に示す「抽出項目」））を当該領域から読み出すための読み出し指示を、送受信部２７を介して再生装置２に送信する。再生装置２では、再生制御部５１は、この読み出し指示を受信すると、媒体制御回路群４２を制御することにより、検索履歴記録領域１０３ｂに記録された検索履歴情報を読み出す（Ｓ１２７）。再生制御部５１は、検索履歴情報を読み出すと、送受信部５７を介して記録装置１に送信する。
【０２３６】
記録装置１では、検索制御部２８は、送受信部２７を介して再生装置２が読み出した検索履歴情報を受信すると、この検索履歴情報に含まれる検索条件および編集履歴をユーザに選択させるための選択画像を表示装置４に表示させるために、当該画像の表示指示を表示制御部３０に送信する。表示制御部３０は、この表示指示を受けると、選択画像を作成し表示装置４に表示させる。
【０２３７】
ユーザは、表示装置４に表示される選択画像を見ながら、操作装置３を用いて検索条件および編集履歴の選択を行う。すなわち、検索制御部２８は、操作装置３を介したユーザ操作に応じた操作信号を操作装置３から受信すると、この操作信号を解析することにより、ユーザがどの検索条件および編集履歴を選択したかを判断する（Ｓ１２８）。
【０２３８】
検索制御部２８は、どの検索条件および編集履歴が選択されると、鍵照合制御部３２にその旨を通知する。鍵照合制御部３２は、選択された検索条件および編集履歴に対応付けられた抽出情報（抽出情報群）に付与された鍵情報と、ユーザ入力された鍵情報とが一致するか否かを判定する（Ｓ１２９）。
【０２３９】
具体的には、鍵照合制御部３２は、鍵情報の照合を行うための照合用画像を表示装置４に表示させるように表示制御部３０に指示し、ユーザは、表示装置４に表示された照合用画像を見ながら、操作装置３を用いて鍵情報（パスワードなど）を入力する。鍵照合制御部３２は、入力された鍵情報を示す操作信号を操作装置３から受信すると、この操作信号を解析することにより、ユーザが入力した鍵情報を取得する。そして、鍵照合制御部３２は、検索履歴情報に含まれる鍵情報と、操作装置３から取得した鍵情報との照合を行うことにより、２つの鍵情報が一致するか否かを判定する。なお、検索履歴情報に含まれる鍵情報（抽出情報に予め設定された鍵情報）は、ユーザまたは再生装置２などの読み出し装置（もしくは記録装置１などの読み出し指示装置）を制限するためのものである。
【０２４０】
鍵照合制御部３２は、２つの鍵情報が一致すると判定した場合には（Ｓ１２９で「ＯＫ」）、その旨を検索制御部２８に通知する。検索制御部２８は、この通知を受けると、Ｓ１２８にて選択された検索条件および編集履歴を再生装置２に送信する。再生装置２では、再生制御部５１は、送受信部５７を介してこの通知を受けると、この検索条件および編集履歴に対応付けられた抽出情報（選択データ）を抽出データ保存領域１０３ｃから読み出し（Ｓ１３０）、当該抽出情報を記録装置１に送信して、Ｓ１２５の処理に移行する。
【０２４１】
一方、鍵照合制御部３２は、２つの鍵情報が一致しないと判定した場合には（Ｓ１２９で「ＮＧ」）、鍵照合未確認動作を行う（Ｓ１３１）。この鍵照合未確認動作としては、再度の鍵情報の照合を行う（この場合には、ユーザに再度パスワードに入力を求める）、抽出データ保存領域１０３ｃからの検索を中止し、登録データ保存領域１０３ａからの検索（Ｓ１２２〜Ｓ１２５の処理）に切り替える、図１５の処理を終了するなど、が挙げられる。
【０２４２】
その後、Ｓ１２６およびＳ１３２〜Ｓ１３８の処理が行われる。Ｓ１３８の処理にて、編集制御部２９は、選択された抽出情報の光ディスク１００における記録位置を決定すると、その旨を鍵情報付与部３１に通知する。鍵情報付与部３１は、選択された編集後の抽出情報に対して鍵情報を付与し（Ｓ１３９）、その旨を編集制御部２９に通知する。その後、Ｓ１４０に移行するが、Ｓ１４０〜Ｓ１４２の処理については、図６に示すＳ１７〜Ｓ１９の処理と同様であるので、ここではその説明を省略する。
【０２４３】
なお、Ｓ１２９では、鍵照合がユーザによる鍵情報の入力により行われる場合について説明したが、これに限らず、例えば、記録装置１の記憶部１４に予め鍵情報が保存されており、鍵照合制御部３２が記憶部１４から鍵情報を読み出すことによって、選択された検索条件および編集履歴に対応付けられた抽出情報に付与された鍵情報との照合を行ってもよい。すなわち、鍵情報は、ユーザ入力でなく、記憶部１４からの読み出し（自動入力）であってもよい。
【０２４４】
〔変形例における処理の流れ（その６）〕
次に、図１６を用いて、記録再生システム１０における処理の流れ、特に記録装置１（変形例１）および再生装置２における処理の流れの別例について説明する。図１６は、記録再生システム１０における処理の流れの別例を示すフローチャートであり、検索処理が記録装置１（変形例）にて自動で行われ、編集処理がユーザの入力操作によって実現される場合の処理の流れを示すものである。なお、Ｓ１５１〜Ｓ１５７およびＳ１６１の処理については、図７に示すＳ３１〜Ｓ３７およびＳ３９の処理と、Ｓ１６２〜Ｓ１７２の処理については、図１５に示すＳ１３２〜Ｓ１４２の処理と同様であるので、ここではその説明を省略する。また、図６に示す処理と同様、まず再生装置２に光ディスク１００が装填され、例えばＳ１６３の処理後に排出され、記録装置１に装填されるものとする。
【０２４５】
Ｓ１５３において、検索制御部２８は、Ｓ１５１で入力された検索条件と、Ｓ１５２で読み出した検索条件（過去検索情報）とが一致しないと判定した場合には（Ｓ１５３でＮＯ）、その旨を鍵照合制御部３２に通知する。鍵照合制御部３２は、この通知を受けると、図１５に示すＳ１２９の処理と同様、Ｓ１５２で読み出された検索履歴情報に含まれる鍵情報と、ユーザによって入力された鍵情報との照合を行う（Ｓ１５８）。
【０２４６】
鍵照合制御部３２は、上記２つの鍵情報が一致すると判定した場合には（Ｓ１５８で「ＯＫ」）、抽出データ保存領域１０３ｃに記録されている全抽出情報と、全抽出情報に対応付けられた検索履歴情報とを読み出すための読み出し指示を、送受信部２７を介して再生装置２に送信して、図７に示すＳ３８と同様の処理を行う（Ｓ１５９）。また、鍵照合制御部３２は、上記２つの鍵情報が一致しないと判定した場合には（Ｓ１５８で「ＮＧ」）、図１５に示すＳ１３１と同様の処理（鍵照合未確認動作）を行う（Ｓ１６０）。
【０２４７】
〔変形例における処理の流れ（その７）〕
次に、図１７を用いて、記録再生システム１０における処理の流れ、特に記録装置１（変形例）および再生装置２における処理の流れの更なる別例について説明する。図１７は、記録再生システム１０における処理の流れの更なる別例を示すフローチャートであり、検索処理がユーザの入力操作にて行われ、編集処理が記録装置１（変形例）にて自動で行われることによって実現される場合の処理の流れを示すものである。なお、Ｓ１８１〜Ｓ１９２の処理は、図１５に示すＳ１２１〜Ｓ１３２の処理と、Ｓ１９３〜Ｓ１９８の処理は、図８に示すＳ７１〜Ｓ７６の処理と同様であるので、ここではその説明を省略する。また、図６に示す処理と同様、まず再生装置２に光ディスク１００が装填され、例えばＳ７１の処理後に排出され、記録装置１に装填されるものとする。
【０２４８】
Ｓ１９８において、記録位置決定部２６は、並べ替え処理が完了した場合（記録位置を決定すると）、その旨を鍵情報付与部３１に通知する。鍵情報付与部３１は、編集後の抽出情報に対して鍵情報を付与し（Ｓ１９９）、その旨を記録制御部２５に通知する。記録制御部２５は、この通知を受けると、並べ替え処理後の抽出情報と、当該抽出情報（もしくは最も内周側に記録される抽出情報）の記録位置を示す位置情報と記憶部１４から読み出し、抽出データ保存領域１０３ｃの所定の位置に記録する（Ｓ２００）。その後のＳ２０１の処理については、図８に示すＳ７８の処理と同様であるので、ここではその説明を省略する。
【０２４９】
〔変形例における処理の流れ（その８）〕
次に、図１８を用いて、記録再生システム１０における処理の流れ、特に記録装置１（変形例）および再生装置２における処理の流れの更なる別例について説明する。図１８は、記録再生システム１０における処理の流れの更なる別例を示すフローチャートであり、検索処理および編集処理が記録装置１（変形例）にて自動で行われることによって実現される場合の処理の流れを示すものである。なお、Ｓ２１１〜Ｓ２２２の処理については、図１６に示すＳ１５１〜Ｓ１６２の処理と同様であり、Ｓ２２３〜Ｓ２３０の処理については、図１７に示すＳ１９３〜Ｓ２０１と同様であるので、ここではその説明を省略する。また、図６に示す処理と同様、まず再生装置２に光ディスク１００が装填され、例えばＳ２２３の処理後に排出され、記録装置１に装填されるものとする。
【０２５０】
〔変形例における処理の流れ（その９）〕
次に、図１９を用いて、記録再生システム１０における処理の流れ、特に記録装置１（変形例）および再生装置２における処理の流れの更なる別例について説明する。図１９は、記録再生システム１０における処理の流れの更なる別例を示すフローチャートであり、暗号化された登録情報（音楽データなど）が光ディスク１００のＲＯＭ層に記録されており、鍵情報の照合を行うことでこの登録情報の一部である抽出情報をＲＥ層に記録する処理の流れを示すものである。つまり、図１９にて使用される登録情報には、予めディスク配布者により定められた鍵情報が付与されている。
【０２５１】
まず、検索制御部２８は、再生装置２から装填された情報記録媒体が光ディスク１００である旨の通知を受けると、例えば図１６に示すＳ１５１と同様の処理を行うことで、ユーザが操作装置３を介して入力した検索条件の入力を受け付ける（Ｓ２４０）。検索制御部２８は、この入力を受け付けると、登録データ保存領域１０３ａに記録されている登録情報の例えば「項目２（アーティスト）」および「項目３（アルバム）」を読み出すための読み出し指示を、送受信部２７を介して再生装置２に送信する。再生装置２では、再生制御部５１は、送受信部５７を介してこの読み出し指示を受信すると、媒体制御回路群４２を制御することにより、上記２つの項目を読み出し、送受信部５７を介して記録装置１に送信する。記録装置１では、検索制御部２８は、上記２つの項目の一覧表を表示装置４に表示させるために、当該２つの項目を表示制御部３０に送信する。表示制御部３０は、この２つの項目を受信すると、上記一覧表を作成し表示装置４に表示させる。
【０２５２】
ユーザは、表示装置４に表示される一覧表を見ながら、操作装置３を用いて、光ディスク１００の登録データ保存領域１０３ａから読み出したい登録情報の一部である抽出情報の選択を行う（Ｓ２４１）。検索制御部２８は、選択された抽出情報を示す操作信号を操作装置３から受信すると、登録データ保存領域１０３ａから当該抽出情報を読み出すための読み出し指示を、送受信部２７を介して再生装置２に送信することで、例えば図１５に示すＳ１２３と同様、再生制御部５１が当該抽出情報と、この抽出情報に対応付けられた検索履歴情報とを読み出す（Ｓ２４２）。再生制御部５１は、抽出情報および検索履歴情報を読み出すと、送受信部５７および２７を介して鍵照合制御部３２に送信する。
【０２５３】
鍵照合制御部３２は、抽出情報および検索履歴情報を再生装置２から受信すると、図１５のＳ１２９と同様、Ｓ２４２で読み出された検索履歴情報に含まれる鍵情報と、ユーザによって入力された鍵情報との照合を行う（Ｓ２４３）。
【０２５４】
鍵照合制御部３２は、上記２つの鍵情報が一致すると判定した場合には（Ｓ２４３で「ＯＫ」）、その旨をデータ解凍部２２に通知する。その後、データ解凍部２２が、図１５に示すＳ１２４と同様に、Ｓ２４２で読み出された抽出情報を解凍し（Ｓ２４４）、Ｓ１２６およびＳ１３２と同様の処理が行われる（Ｓ２４５およびＳ２４７）。また、Ｓ２４３で「ＮＧ」の場合には、図１５のＳ１３１と同様の処理が行われる（Ｓ２４６）。
【０２５５】
Ｓ２４７の処理後、図８に示すＳ７１〜Ｓ７８の処理と同様の処理が行われ、図１９に示す処理が終了する（Ｓ２４８〜Ｓ２５５）。
【０２５６】
なお、Ｓ２４３では、鍵照合がユーザによる鍵情報の入力により行われる場合について説明したが、これに限らず、鍵照合制御部３２は、例えばユーザの契約状況（例えば、オンラインでの支払い処理）に応じて、記憶部１４に保存されているディスク管理プログラムにより鍵情報を自動的に生成する構成であってもよい。この場合、鍵照合制御部３２は、生成した鍵情報を用いて、登録データ保存領域１０３ａに記録されている登録情報の読み出し（もしくは抽出データ保存領域１０３ｃへのコピー）の許可を行う。
【０２５７】
〔記録再生システム１０における各装置の作用効果〕
本実施の形態に係る記録装置１（記録装置１の制御方法）は、ＲＯＭ層に記録されている情報である登録情報の少なくとも一部として読み出された抽出情報を受信する送受信部２７（受信ステップ）と、送受信部２７が受信した抽出情報を、ＲＥ層に記録させる記録制御部２５（記録制御ステップ）と、を備えるものである。
【０２５８】
また、本実施の形態に係る再生装置２（再生装置２の制御方法）は、ＲＯＭ層に記録されている情報である登録情報の少なくとも一部を抽出情報として読み出す再生制御部５１（再生制御ステップ）と、再生制御部５１が読み出した抽出情報を、ＲＥ層に記録するための記録装置１に送信する送受信部５７（送信ステップ）と、を備えるものである。
【０２５９】
また、本実施の形態に係る記録再生システム１０は、記録装置１と再生装置２とを備えるものである。
【０２６０】
このため、例えば検索などにより再度この抽出情報が読み出される場合には、抽出情報の集まりである登録情報が記録されているＲＯＭ層からではなく、一度読み出された抽出情報が記録されているＲＥ層から読み出すことにより、その抽出情報の読み出し（検索なども）を早く行うことができる。すなわち、例えば同じ検索条件などにより読み出される可能性（利用可能性）が高い抽出情報を、登録情報が記録されているＲＯＭ層とは別のＲＥ層に記録する（記録させる）ことができ、ひいては登録情報（抽出情報）の読み出しをより早く行うことができる。
【０２６１】
つまり、記録装置１（記録装置１の制御方法）、再生装置２（再生装置２の制御方法）および記録再生システム１０は、光ディスク１００に記録された情報へのアクセス時間を短縮することができるという効果を奏する。
【０２６２】
特に、登録情報が膨大な情報量である場合には、一度読み出された抽出情報が記録されるＲＥ層の情報量は、この登録情報が記録されているＲＯＭ層の情報量よりもはるかに少ない。従って、このような場合には特に、一度読み出された抽出情報がＲＯＭ層から再度読み出される場合に比べて、よりアクセス時間の短縮を図ることができる。
【０２６３】
また、本実施の形態に係る光ディスク１００は、情報を読み出すことのみ可能なＲＯＭ層と、情報を追記録可能な又は情報を書き換えることが可能なＲＥ層（Ｒ層）と、を少なくとも備えている。そして、光ディスク１００のＲＯＭ層には、登録情報が記録されており、ＲＥ層には、登録情報の少なくとも一部である抽出情報が記録されるものである。また、光ディスク１００は、記録再生システム１０における記録装置１または再生装置２により用いられるものである。
【０２６４】
このため、上記と同様、光ディスク１００が記録再生システム１０で用いられることにより、この光ディスク１００に記録された情報へのアクセス時間を短縮させることができる。
【０２６５】
また、記録装置１では、データ解凍部２２が、送受信部２７が受信した、圧縮されている抽出情報を解凍し、記録制御部２５が、解凍して非圧縮となった抽出情報をＲＥ層に記録させる。すなわち、光ディスク１００のＲＥ層に記録される抽出情報は、非圧縮の情報である。このため、一度読み出された抽出情報を、ＲＥ層から読み出すたびに解凍する必要がない。このため、解凍作業に必要な時間分だけ、抽出情報に対するアクセス（抽出情報に対する処理を行うまでの処理）を早く行うことができる。
【０２６６】
また、記録装置１では、登録情報が圧縮して記録されている光ディスク１００に解凍プログラムを記録することができる。すなわち、光ディスク１００のＲＥ層に解凍プログラムが記録される。このため、出荷時に解凍プログラムが記録されていない光ディスク１００であっても、解凍プログラムが記録された後は、この光ディスク１００を利用する装置が解凍プログラムを備えている必要も、解凍プログラムを外部から取得する必要もない。つまり、この光ディスク１００から解凍プログラムを読み出すだけで、登録情報の解凍作業を行わせることができる。
ので、光ディスク１００を利用するだけで（すなわち、解凍プログラムを記録装置１が有していなくても、または、記録装置１が解凍プログラムを外部から取得することなく）、登録情報の一部として読み出された抽出情報を解凍することができる。これにより、ユーザは光ディスク１００を持ち運ぶだけで、圧縮された登録情報を利用することができる。また、光ディスク１００に解凍プログラムを記録することにより、登録情報の容易な管理を実現することができる。
【０２６７】
また、記録装置１では、記録位置決定部２６が、抽出情報が読み出された回数の多い順に読み出されるように、ＲＥ層における抽出情報の記録位置を決定し、記録制御部２５がその記録位置に抽出情報を記録させる。すなわち、抽出情報が読み出された回数の多い順にＲＥ層の内周側から記録される。このため、読み出された頻度（例えば検索頻度）の高い抽出情報から読み出させる（すなわちユーザが読み出す可能性が高い抽出情報から読み出させる）ことができるので、ユーザの利便性を向上させることができる。
【０２６８】
また、記録装置１では、鍵情報付与部３１が、送受信部２７が受信した抽出情報に鍵情報を付与し、記録制御部２５が、鍵情報が付与された抽出情報をＲＥ層に記録させる。すなわち、光ディスク１００のＲＥ層には、鍵情報が付与された抽出情報が記録される。このため、次にこの抽出情報を利用する記録装置１などの装置では、鍵照合制御部３２による鍵情報の認証などを行う必要がある。つまり、ＲＯＭ層から読み出された抽出情報を光ディスク１００内で閉じて使用することができる（抽出情報の外部での利用を制限することができる）ので、ＲＯＭ層に記録されている登録情報の利用に際して、そのセキュリティーを担保することができる。特に登録情報が電話帳データなどの場合には、個人情報の流出を防ぐことができ、音楽データなどの場合には、当該音楽の著作権を保護することができる。
【０２６９】
また、記録装置１では、光ディスク１００のリードイン領域１０２に抽出情報の記録位置を示す位置情報が記録されている。このため、記録装置１は、光ディスク１００を利用するときに、その記録位置を読み出させることができるので、その記録位置に対応する抽出情報を引き続き（自動的に）読み出させることができる。
【０２７０】
また、記録装置１では、記録制御部２５は、例えばユーザ操作や外部のネットワークなどから取得した登録情報としての追加情報をＲＥ層に記録させる。すなわち、光ディスク１００のＲＥ層には、登録情報として追加可能な追加情報が記録される。このため、光ディスク１００にて追加情報を一元管理させることができ、ユーザの利便性を向上させることができる。
【０２７１】
また、再生装置２では、ＲＥ層に記録されている抽出情報を、ＲＯＭ層に記録されている抽出情報の前に読み出す。つまり、例えば検索などにより抽出情報が読み出される場合には、抽出情報の集まりである登録情報が記録されているＲＯＭ層から読み出す前に、一度読み出された抽出情報が記録されているＲＥ層から読み出す。これにより、一度読み出された抽出情報が再度検索などにより読み出される場合には、情報量の少ないＲＥ層から読み出されることになるため、その抽出情報の読み出し（検索なども）を早く行うことができる。
【０２７２】
また、光ディスク１００では、ＲＯＭ層には、登録情報が圧縮されて記録されているので、ＲＯＭ層の記録領域を増やすことができる。このため、容量の大きい登録情報を記録したり、種類の異なる登録情報を一緒に記録しておくことができる。
【０２７３】
また、光ディスク１００では、ＲＯＭ層に解凍プログラムが記録されているので、光ディスク１００を利用する装置は、解凍プログラムを装置に備えさせることなく、また、解凍プログラムを外部から取得することなく、光ディスク１００から解凍プログラムを読み出すだけで、当該登録情報の解凍作業を行わせることができる。これにより、ユーザはこの光ディスク１００を持ち運ぶだけで、圧縮された登録情報を利用することができる。また、光ディスク１００に解凍プログラムを記録されていることにより、登録情報の容易な管理を実現することができる。
【０２７４】
また、光ディスク１００は、光が照射されることにより情報の記録または再生が行われる情報記録媒体であるので、可搬性に優れるとともに、安価な情報記録媒体を実現することができる。
【０２７５】
また、光ディスク１００では、ＲＯＭ層に記録されている登録情報（電話帳データなど）が、氏名を示す氏名情報、企業名称を示す企業名情報、住所を示す住所情報、電話番号を示す電話番号情報、および、電子メールのアドレスを示すメールアドレス情報のうち少なくとも２つが対応付けられた情報である。つまり、登録情報をデータベース化しておくことにより、読み出しなどの処理を早く行わせることができる。
【０２７６】
また、光ディスク１００では、登録情報として音楽データなどのコンテンツがＲＯＭ層に記録されているので、上記のように、当該音楽データが抽出情報として読み出され、ＲＥ層に記録された場合には、その後の読み出しなどの処理を早く行わせることができる。
【０２７７】
〔実施の形態２〕
本発明の他の実施形態について図６〜図９、図１５〜図２２に基づいて説明すれば、以下のとおりである。なお、実施の形態１と同様の部材に関しては、同じ符号を付し、その説明を省略する。また、「非圧縮」、「圧縮」および「解凍」の定義については、実施形態１と同じである。
【０２７８】
〔記録再生システム１０ａの概要〕
まず、本実施の形態に係る記録再生システム１０ａについて、図２０を用いて説明する。図２０は、本実施の形態に係る記録再生システム１０ａの概略構成を示すブロック図である。図示のように、記録再生システム１０ａは、記録装置１ａ、再生装置２ａ、操作装置３および表示装置４を含み、再生装置２ａと、記録装置１ａ、操作装置３および表示装置４とが有線、無線、赤外線などを用いてデータ通信を行うことが可能となっている。すなわち、本実施の形態では、再生装置２ａが操作装置３および表示装置４に対する制御を行うものとする。なお、再生装置２ａが操作装置３および表示装置４の機能を備える構成であってもよく、この場合、記録再生システム１０ａは、記録装置１ａおよび再生装置２ａからなる。
【０２７９】
〔記録装置１ａの構成〕
次に、図２１を用いて、本実施の形態に係る記録装置１ａの概略構成の一例について説明する。図２１は、本実施の形態に係る記録再生システム１０ａにおける記録装置１ａおよび再生装置２ａの概略構成の一例を示すブロック図である。記録装置１ａは、光ディスク１００などの情報記録媒体に対して情報の記録制御を行うものであり、媒体装填確認部１１、媒体制御回路群１２、制御部１３ａおよび記憶部１４を備えている。なお、記憶部１４は、実施の形態１の記憶部４４と同等の機能を有するものである。また、制御部１３ａは、記録制御部２５および送受信部２７を備えている。すなわち、記録装置１ａは、記録装置１とは異なり、情報記録媒体に対して情報の記録制御を行う機能のみで構成されている。なお、送受信部２７は、実施の形態１と同様の機能を有するので、ここではその説明を省略する。
【０２８０】
記録制御部２５は、送受信部２７が受信した、ＲＯＭ層に記録されている情報である登録情報の少なくとも一部として再生装置２ａにより読み出された抽出情報を、媒体制御回路群１２を介してＲＥ層に記録させるものである。この他、記録制御部２５は、送受信部２７が受信した、再生装置２ａにて非圧縮された抽出情報や、再生装置２ａにて鍵情報が付与された抽出情報を、ＲＥ層に記録させる。また、記録制御部２５は、送受信部２７が受信した、再生装置２ａにて決定されたＲＥ層における抽出情報の記録位置を示す位置情報に基づいて、当該抽出情報を記録させる。
【０２８１】
〔再生装置２ａの構成〕
次に、図２１を参照しながら、本実施の形態に係る再生装置２ａの概略構成の一例について説明する。再生装置２ａは、光ディスク１００などの情報記録媒体に対して情報の再生制御を行うものであり、媒体装填確認部４１、媒体制御回路群４２、制御部４３および記憶部４４を備えている。記憶部４４には、実施の形態１の記憶部１４と同様、例えば制御部４３ａが編集処理や並べ替え処理を行うために光ディスク１００から読み出した抽出情報や、圧縮されている抽出情報を解凍するための解凍プログラムを格納する。
【０２８２】
また、制御部４３ａは、再生制御部５１、データ解凍部５３（解凍手段）、保存制御部５４、データ圧縮部５５、記録位置決定部５６（決定手段）、送受信部５７、検索制御部５８、編集制御部５９および表示制御部６０を備えている。なお、データ圧縮部５５、検索制御部５８、編集制御部５９および表示制御部６０は、実施の形態１の記録装置１に備えられたデータ圧縮部２４、検索制御部２８、編集制御部２９および表示制御部３０と同様の機能を有するので、ここではその説明を省略する。
【０２８３】
再生制御部５１は、実施の形態１と同様、ＲＯＭ層またはＲＥ層に記録されている抽出情報や、ＲＥ層に記録されている検索履歴情報または追加情報などを読み出すものである。また、再生制御部５１は、検索制御部５８により検索処理が自動で行われる場合には（例えば図７参照）、ＲＯＭ層に記録されている抽出情報を読み出す前に、ＲＥ層に記録されている抽出情報を読み出すものである。
【０２８４】
データ解凍部５３は、再生制御部５１が光ディスク１００から読み出した、圧縮されている登録情報の少なくとも一部である抽出情報を解凍するものである。
【０２８５】
保存制御部５４は、再生制御部５１が光ディスク１００から読み出した抽出情報および検索履歴情報を、記憶部４４に保存するものである。
【０２８６】
記録位置決定部５６は、再生制御部５１が読み出した抽出情報に含まれる、当該抽出情報が読み出された回数を示す検索回数を参照して、当該回数が多い順に抽出情報が読み出されるように、ＲＥ層における抽出情報の記録位置を決定するものである。
【０２８７】
送受信部５７は、再生制御部５１が光ディスク１００のＲＯＭ層またはＲＥ層から読み出した抽出情報や、ＲＥ層から読み出した検索履歴情報または追加情報などを記録装置１に送信するものである。この他、送受信部５７は、データ解凍部５３が解凍した非圧縮の抽出情報や、記録位置決定部５６が決定した記録位置である位置情報、後述の鍵情報付与部６１が鍵情報を付与した抽出情報を、記録装置１に送信するものである。
【０２８８】
〔各装置における処理の流れ〕
次に、図６〜図９を用いて、記録再生システム１０ａにおける処理の流れ、特に記録装置１ａおよび再生装置２ａにおける処理の流れについて説明する。基本的には、記録再生システム１０と同様の処理を行うので、異なる処理を行うステップ以外のステップについてはその説明を省略する。また、図９については、以下の図６〜図８の処理を踏まえれば、実施の形態１における図９の処理と同様であるので、ここではその説明を省略する。
【０２８９】
（図６に示す処理）
図６に示すＳ３では、検索制御部５８は、Ｓ２の処理にて検索条件の入力を受け付けると、この検索条件を再生制御部５１に送信する。再生制御部５１は、この検索条件を受信すると、媒体制御回路群４２を制御することにより、登録データ保存領域１０３ａからこの検索条件を含む登録情報を抽出情報として読み出し、データ解凍部５３に送信し、Ｓ４の処理に移行する。
【０２９０】
また、Ｓ１で「過去検索結果利用」の場合には、検索制御部５８は、ユーザが過去の検索結果の利用を選択したと判断した旨を再生制御部５１に通知する。再生制御部５１は、この通知を受けると、過去に検索履歴記録領域１０３ｂに記録された検索履歴情報を当該領域から読み出し（Ｓ７）、読み出した検索履歴情報を検索制御部５８に送信する。
【０２９１】
その後、Ｓ８において、検索制御部５８は、ユーザが選択した検索条件がどの検索条件であるかを特定すると、その旨を再生制御部５１に通知する。再生制御部５１は、この通知を受けると、選択された検索条件に対応付けられた抽出情報（抽出情報群）を抽出データ保存領域１０３ｃから読み出し（Ｓ９）、読み出した抽出情報を検索制御部５８に送信する。
【０２９２】
その後、Ｓ５、Ｓ６およびＳ１０〜Ｓ１３の処理が行われる。Ｓ１３にて、データ圧縮部５５が追加情報を圧縮すると、圧縮後の追加情報を、送受信部５７を介して記録装置１ａに送信する。記録装置１ａでは、記録制御部２５は、送受信部２７を介してこの追加情報を受信すると、媒体制御回路群１２を制御することにより、追加データ保存領域１０３ｄに記録する（Ｓ１４）。記録制御部２５は、追加情報の記録が完了すると、送受信部２７を介して記録完了通知を再生装置２ａに送信する。再生装置２ａでは、編集制御部５９が送受信部５７を介して記録完了通知を受信することにより、Ｓ１５およびＳ１６の処理に移行する。
【０２９３】
Ｓ１６にて、編集制御部５９は、光ディスク１００における抽出情報の記録位置を決定すると、ユーザにより選択され、並べ替え処理が行われた抽出情報と、当該抽出情報の記録位置を示す位置情報とを記憶部４４から読み出し、送受信部５７を介して記録装置１ａに送信する。記録装置１ａでは、記録制御部２５は、送受信部２７を介してこの抽出情報および位置情報を受信すると、抽出データ保存領域１０３ｃの所定の位置に抽出情報を記録する（Ｓ１７）。記録制御部２５は、抽出情報の記録が完了すると、送受信部２７を介して記録完了通知を再生装置２ａに送信する。再生装置２ａでは、編集制御部５９が送受信部５７を介して記録完了通知を受信することにより、Ｓ１８の処理に移行する。
【０２９４】
Ｓ１８にて、編集制御部５９は、検索履歴情報を光ディスク１００に記録すると判定した場合には（Ｓ１８でＹＥＳ）、記憶部４４から検索履歴情報（検索結果）を読み出し、送受信部５７を介して記録装置１ａに送信する。記録装置１ａでは、送受信部２７を介してこの検索履歴情報を受信すると、検索履歴記録領域１０３ｂに記録し（Ｓ１９）、図６に示す処理が終了する。
【０２９５】
（図７に示す処理）
図７に示すＳ３２では、検索制御部５８は、Ｓ３１にて検索条件の入力を受け付けると、その旨を再生制御部５１に通知する。再生制御部５１は、この通知を受けると、過去の検索結果として記録されている検索履歴情報を検索履歴記録領域１０３ｂから読み出す（Ｓ３２）。再生制御部５１は、検索履歴情報を読み出すと、その旨を検索制御部５８に通知する。検索制御部５８は、この通知を受けると、Ｓ３３の処理に移行する。
【０２９６】
検索制御部５８は、Ｓ３３でＮＯの場合には、その旨を再生制御部５１に通知する。再生制御部５１は、この通知を受けると、登録データ保存領域１０３ａから、Ｓ３１で入力された検索条件を含む登録情報を抽出情報として読み出し（Ｓ３４）、その旨をデータ解凍部５３に通知する。その後、Ｓ３５〜Ｓ３７およびＳ３９〜Ｓ４９の処理が行われる。
【０２９７】
一方、検索制御部５８は、Ｓ３３でＹＥＳの場合には、その旨を再生制御部５１に通知する。再生制御部５１は、この通知を受けると、抽出データ保存領域１０３ｃに記録されている全抽出情報と、全抽出情報に対応付けられた検索履歴情報とを読み出す（Ｓ３８）。再生制御部５１は、抽出情報および検索履歴情報を読み出すと、その旨を検索制御部５８に通知し、Ｓ３６の処理に移行する。
【０２９８】
（図８に示す処理）
図８に示すＳ６１〜Ｓ７２の処理が行われた後、Ｓ７３にて、データ圧縮部５５が記憶部４４に保存されている追加情報を圧縮すると、圧縮後の追加情報を、送受信部５７を介して記録装置１ａに送信する。記録装置１ａでは、記録制御部２５は、送受信部２７を介してこの追加情報を受信すると、媒体制御回路群１２を制御することにより、追加データ保存領域１０３ｄに記録する（Ｓ７４）。記録制御部２５は、追加情報の記録が完了すると、送受信部２７を介して記録完了通知を再生装置２ａに送信する。再生装置２ａでは、編集制御部５９が送受信部５７を介して記録完了通知を受信することにより、Ｓ７５およびＳ７６の処理に移行する。
【０２９９】
Ｓ７６にて、記録位置決定部５６は、並べ替え処理が完了すると（記録位置を決定すると）、並べ替え処理後の抽出情報と、当該抽出情報（もしくは最も内周側に記録される抽出情報）の記録位置を示す位置情報とを記憶部４４から読み出し、送受信部５７を介して記録装置１ａに送信する。記録装置１ａでは、記録制御部２５は、送受信部２７を介してこの抽出情報および位置情報を受信すると、抽出データ保存領域１０３ｃの所定の位置に抽出情報を記録する（Ｓ７７）。
【０３００】
記録制御部２５は、抽出情報の記録が完了すると、送受信部２７を介して、記憶部４４に保存されている検索履歴情報（検索条件）の送信指示を再生装置２ａに送信する。再生装置２ａでは、例えば編集制御部５９は、送受信部５７を介して送信指示を受信すると、記憶部４４に保存されている検索履歴情報を読み出し、送受信部２７を介して記録装置１ａに送信する。記録装置１ａでは、記録制御部２５は、この検索履歴情報を受信すると、検索履歴記録領域１０３ｂに記録し（Ｓ７８）、図８に示す処理が終了する。
【０３０１】
〔再生装置２ａの変形例〕
次に、図２２を用いて、本実施の形態に係る再生装置２ａの変形例における概略構成の一例について説明する。図２２は、本実施の形態に係る記録再生システム１０ａにおける記録装置１ａおよび再生装置２ａ（変形例）の概略構成の一例を示すブロック図である。
【０３０２】
変形例としての記録装置１（図１４参照）と同様、鍵情報を扱うときの処理を実現するために、本変形例に係る再生装置２ａの制御部４３ａは、図２１の構成に加え、鍵情報付与部６１（鍵情報付与手段）および鍵照合制御部６２を備えている。なお、鍵情報付与部６１および鍵照合制御部６２は、上記記録装置１が備える鍵情報付与部３１および鍵照合制御部３２と同様の機能を備えているので、ここではその説明を省略する。
【０３０３】
〔変形例における処理の流れ〕
次に、図１５〜図１９を用いて、記録再生システム１０ａにおける処理の流れ、特に記録装置１ａおよび再生装置２ａ（変形例）における処理の流れについて説明する。基本的には、変形例としての記録再生システム１０と同様の処理を行うので、異なる処理を行うステップ以外のステップについてはその説明を省略する。また、図１８については、以下の図１５〜図１７の処理を踏まえれば、実施の形態１における図１８の処理と同様であるので、ここではその説明を省略する。
【０３０４】
（図１５に示す処理）
図１５に示すＳ１２１にて、検索制御部５８は、ユーザが過去の検索結果の利用を選択した判断すると（Ｓ１２１で「過去検索結果利用」）、その旨を再生制御部５１に通知する。再生制御部５１は、この通知を受けると、過去に検索履歴記録領域１０３ｂに記録された検索履歴情報（過去検索条件および編集履歴（図５に示す「抽出項目」））を当該領域から読み出す（Ｓ１２７）。そして、再生制御部５１が、読み出した検索履歴情報を検索制御部５８に送信することにより、Ｓ１２８およびＳ１２９の処理に移行する。
【０３０５】
その後、鍵照合制御部６２は、検索履歴情報に含まれる鍵情報と、操作装置３から取得した鍵情報との照合を行い、２つの鍵情報が一致した判定すると（Ｓ１２９で「ＯＫ」）、その旨を再生制御部５１に通知する。再生制御部５１は、この通知を受けると、Ｓ１２８にて選択された検索条件および編集履歴に対応付けられた抽出情報を抽出データ保存領域１０３ｃから読み出し（Ｓ１３０）、その旨を検索制御部５８に通知して、Ｓ１２５の処理に移行する。一方、鍵照合制御部６２は、２つの鍵情報が一致しないと判定した場合には（Ｓ１２９で「ＮＧ」）、鍵照合未確認動作を行う（Ｓ１３１）。
【０３０６】
その他の処理については、実施の形態２における図６の処理を踏まえれば、実施の形態１における図１５の処理と同様であるので、ここではその説明を省略する。
【０３０７】
（図１６に示す処理）
図１６に示すＳ１５８において、鍵照合制御部６２は、図１５に示すＳ１２９の処理と同様の処理が行われ、２つの鍵情報が一致すると判定した場合には（Ｓ１５８で「ＯＫ」）、その旨を再生制御部５１に通知する。再生制御部５１は、抽出データ保存領域１０３ｃに記録されている全抽出情報と、全抽出情報に対応付けられた検索履歴情報とを読み出す（Ｓ１５９）。また、鍵照合制御部６２は、２つの鍵情報が一致しないと判定した場合には（Ｓ１５９で「ＮＧ」）、図１５に示すＳ１３１と同様の処理（鍵照合未確認動作）を行う（Ｓ１６０）。
【０３０８】
その他の処理については、実施の形態２における図１５の処理を踏まえれば、実施の形態１における図１６の処理と同様であるので、ここではその説明を省略する。
【０３０９】
（図１７に示す処理）
図１７に示すＳ１９８において、記録位置決定部５６は、並べ替え処理が完了した場合（記録位置を決定すると）、その旨を鍵情報付与部６１に通知する。鍵情報付与部６１は、編集後の抽出情報に対して鍵情報を付与すると（Ｓ１９９）、この抽出情報（並べ替え処理が行われ、鍵情報が付与された抽出情報）と、最も内周側に記録される抽出情報の記録位置を示す位置情報と記憶部４４から読み出し、これらの情報を記録装置１ａに送信する。
【０３１０】
記録装置１ａでは、記録制御部２５は、この抽出情報および位置情報を、送受信部２７を介して受信すると、抽出データ保存領域１０３ｃの所定の位置に抽出情報を記録する（Ｓ２００）。その後のＳ２０１の処理については、実施の形態２における図８に示すＳ７８と同様の処理が行われ、図１７に示す処理が終了する。
【０３１１】
その他の処理については、実施の形態２における図１５の処理を踏まえれば、実施の形態１における図１７の処理と同様であるので、ここではその説明を省略する。
【０３１２】
（図１９に示す処理）
図１９に示すＳ２４２において、検索制御部５８は、Ｓ２４１にてユーザにより選択された抽出情報を示す操作信号を操作装置３から受信すると、その旨を再生制御部５１に通知する。再生制御部５１は、この通知を受けると、登録データ保存領域１０３ａから、ユーザにより選択された抽出情報を、登録情報の少なくとも一部として読み出し、鍵照合制御部６２に送信する。これにより、Ｓ２４３の処理に移行する。
【０３１３】
その他の処理については、実施の形態２における図８の処理を踏まえれば、実施の形態１における図１９の処理と同様であるので、ここではその説明を省略する。
【０３１４】
〔記録再生システム１０ａにおける各装置の作用効果〕
記録再生システム１０ａ（記録装置１ａおよび再生装置２ａ）は、実施の形態１における記録再生システム１０（記録装置１および再生装置２）と同様の処理が行われる場合には、その処理が奏する作用効果と同様の作用効果を奏するとともに、さらに以下の作用効果を奏する。
【０３１５】
再生装置２ａでは、データ解凍部５３が、再生制御部５１が読み出した、圧縮されている抽出情報を解凍し、送受信部５７が、解凍して非圧縮となった抽出情報を記録装置１ａに送信する。記録装置１ａでは、記録制御部２５が、送受信部２７が受信した、解凍された非圧縮の抽出情報をＲＥ層に記録させる。このため、一度読み出された抽出情報を、ＲＥ層から読み出すたびに解凍する必要がないので、その分、抽出情報に対するアクセス（抽出情報に対する処理を行うまでの処理）を早く行うことができる。
【０３１６】
また、再生装置２ａでは、記録位置決定部５６が、抽出情報が読み出された回数の多い順に読み出されるように、ＲＥ層における抽出情報の記録位置を決定し、送受信部５７がその記録位置を位置情報として記録装置１ａに送信する。記録装置１ａでは、送受信部２７が、ＲＥ層における抽出情報の記録位置を示す位置情報を受信し、記録制御部２５が、この位置情報に基づいて抽出情報を記録させる。このため、読み出された頻度の高い抽出情報から読み出させることができるので、ユーザの利便性を向上させることができる。
【０３１７】
また、再生装置２ａでは、鍵情報付与部６１が、再生制御部５１が読み出した抽出情報に鍵情報を付与し、送受信部５７が、鍵情報が付与された抽出情報を記録装置１ａに送信する。記録装置１ａでは、記録制御部２５が、送受信部２７が受信した、鍵情報が付与された抽出情報をＲＥ層に記録させる。このため、次にこの抽出情報を利用する再生装置２ａなどの装置では、例えば鍵照合制御部６２による鍵情報の認証などを行う必要がある。つまり、ＲＯＭ層から読み出された抽出情報を光ディスク１００内で閉じて使用することができる（抽出情報の外部での利用を制限することができる）ので、ＲＯＭ層に記録されている登録情報の利用に際して、そのセキュリティーを担保することができる。特に登録情報が電話帳データなどの場合には、個人情報の流出を防ぐことができ、音楽データなどの場合には、当該音楽の著作権を保護することができる。
【０３１８】
〔実施の形態３〕
本発明の他の実施形態について図６〜図９、図１５〜図１９および図２３に基づいて説明すれば、以下のとおりである。なお、実施の形態１と同様の部材に関しては、同じ符号を付し、その説明を省略する。また、「非圧縮」、「圧縮」および「解凍」の定義については、実施形態１と同じである。
【０３１９】
〔電子機器５の構成〕
次に、図２３を用いて、本実施の形態に係る電子機器５の概略構成の一例について説明する。図２３は、本実施の形態に係る記録再生システム１０ｂの概略構成を示すブロック図であり、特に電子機器５の概略構成の一例を示すものである。図示のように、記録再生システム１０ｂは、操作装置３、表示装置４および電子機器５を含み、電子機器５と、操作装置３および表示装置４とが有線、無線、赤外線などを用いてデータ通信を行うことが可能となっている。すなわち、本実施の形態では、電子機器５が操作装置３および表示装置４に対する制御を行うものとする。なお、電子機器５が操作装置３および表示装置４の機能を備える構成であってもよい。
【０３２０】
電子機器５（記録再生装置）は、光ディスク１００などの情報記録媒体に対して情報の記録制御を行う記録装置としての機能と、当該情報記録媒体に対して情報の再生制御を行う再生装置としての機能とを有するものである。電子機器５は、記録装置および再生装置で共通となる部材（例えばスロット（不図示）、光ピックアップ（不図示）、媒体装填確認部１１、媒体制御回路群１２などのメカニズム）の制御方法を変更することにより、記録装置および再生装置それぞれの機能を実現する。これにより、実施形態１および２と異なり、記録装置１、１ａと再生装置２、２ａとの間で光ディスク１００を入れ替えることなく、光ディスク１００に対する情報の読み出しおよび記録制御を行うことができる。
【０３２１】
電子機器５は、図２３に示すように、媒体装填確認部１１、媒体制御回路群１２、制御部１３０および記憶部１４を備えている。なお、媒体装填確認部１１、媒体制御回路群１２および記憶部１４の基本的な機能については実施の形態１と同様の機能を有するので、ここではその説明を省略する。
【０３２２】
制御部１３０は、実施の形態１と同様、検索処理や編集処理、鍵情報を扱う場合には鍵照合処理や鍵付与処理などの処理を実行するためのものである。これらの処理の実行方法については、制御部１３と同様である。制御部１３０は、これらの処理を実行するために、主として、データ解凍部２２、保存制御部２３、データ圧縮部２４、記録制御部２５、記録位置決定部２６、検索制御部２８、編集制御部２９、表示制御部３０、鍵情報付与部３１、鍵照合制御部３２、機能切替部３３、操作取得部３４および再生制御部５１を備える。
【０３２３】
なお、データ解凍部２２、保存制御部２３、データ圧縮部２４、記録制御部２５、記録位置決定部２６、検索制御部２８、編集制御部２９、表示制御部３０、鍵情報付与部３１、鍵照合制御部３２および再生制御部５１については、実施の形態１の各部材と同様の機能を有するので、ここではその説明を省略する。
【０３２４】
つまり、電子機器５は、記録装置および再生装置の機能を備えているので、実施の形態１の記録装置１、１ａおよび再生装置２、２ａのように、送受信部２７および送受信部５７を備える必要がない。このため、上記の各部材の機能は、送受信部２７および送受信部５７を介しての情報のやり取りを行うことなく、例えば直接記録制御部２５や再生制御部５１などに情報の提供や通知などを行うことが可能である点が異なるのみで、本質的には、実施の形態１の各部材の機能と同様であるといえる。
【０３２５】
機能切替部３３は、各部材からの指示や通知などに応じて、電子機器５を記録装置として機能させるか、再生装置として機能させるかを切り替えるものである。つまり、機能切替部３３は、各部材からの指示などに応じて、光ディスク１００への情報の記録を行う必要があると判断した場合には情報の記録指示を記録制御部２５に送信し、光ディスク１００からの情報の読み出しを行う必要があると判断した場合に情報の読み出し指示を再生制御部５１に送信するものである。
【０３２６】
操作取得部３４は、操作装置３を介してユーザが行った入力操作を、操作信号として操作装置３から取得するものである。すなわち、実施の形態１における送受信部２７の機能の一部を有するものである。
【０３２７】
〔各装置における処理の流れ〕
次に、図６〜図９および図１５〜図１９を用いて、記録再生システム１０ｂにおける処理の流れ、特に電子機器５における処理の流れについて説明する。基本的には、記録再生システム１０（実施の形態１）と同様の処理を行うので、異なる処理を行うステップ以外のステップについてはその説明を省略する。また、図９および図１８については、以下の図６〜図８および図１５〜図１７の処理をそれぞれ踏まえれば、実施の形態１における図９および図１８の処理と同様であるので、ここではその説明を省略する。
【０３２８】
（図６に示す処理）
まず、電子機器５に光ディスク１００が装填されると、媒体装填確認部１１が検出信号を制御部１３０に送信する。制御部１３０の機能切替部３３は、電子機器５が再生装置として機能するようにその機能を切り替えて、読み出し指示を再生制御部５１に送信する。再生制御部５１は、装填された情報記録媒体が光ディスク１００であることを確認するために、媒体制御回路群１２を制御することにより、情報記録媒体の管理領域からこの情報記録媒体の種類などを示す情報を読み出す。そして、再生制御部５１は、この情報を解析することにより、情報記録媒体が光ディスク１００であるか否かを確認し、光ディスク１００である場合には、制御部１３０にその旨を通知する。その後、実施の形態１に示すＳ１の処理と同様の処理が行われる。
【０３２９】
Ｓ１で「新規検索」の場合には、Ｓ２において、検索制御部２８は、ユーザが入力した検索条件を含む登録情報を抽出情報として読み出すための読み出し指示を機能切替部３３に送信する。Ｓ３において、機能切替部３３がこの読み出し指示を再生制御部５１に送信することで、再生制御部５１は、登録データ保存領域１０３ａから上記の検索条件に該当する登録情報を抽出情報（抽出情報群）として読み出す。
【０３３０】
Ｓ４において、再生制御部５１がこの読み出した抽出情報をデータ解凍部２２に送信すると、データ解凍部２２は、当該抽出情報を解凍し、解凍完了後、この抽出情報を検索制御部２８に送信する。その後、実施の形態１に示すＳ５およびＳ６の処理と同様の処理を行う。
【０３３１】
一方、Ｓ１で「過去検索結果利用」の場合には、Ｓ７において、検索制御部２８は、過去に検索履歴記録領域１０３ｂに記録された検索履歴情報を当該領域から読み出すための読み出し指示を、機能切替部３３に送信する。機能切替部３３がこの読み出し指示を再生制御部５１に送信することで、再生制御部５１は、検索履歴記録領域１０３ｂに記録された検索履歴情報を読み出す。その後、実施の形態１に示すＳ８の処理と同様の処理を行う。
【０３３２】
Ｓ９において、検索制御部２８は、選択された検索条件に対応付けられた抽出情報（抽出情報群）を抽出データ保存領域１０３ｃから読み出すために、その読み出し指示を機能切替部３３に送信する。機能切替部３３がこの読み出し指示を再生制御部５１に送信することで、再生制御部５１は、抽出データ保存領域１０３ｃに記録された、ユーザにより選択された抽出情報を読み出す。その後、実施の形態１と同様の処理が行われ、Ｓ５の処理に移行する。また、Ｓ１０〜Ｓ１２の処理については、実施の形態１と同様の処理が行われる。
【０３３３】
Ｓ１３において、データ圧縮部２４がＳ１０にて追加された追加情報を圧縮すると、この圧縮後の追加情報を追加データ保存領域１０３ｄに記録するための記録指示を機能切替部３３に送信する。機能切替部３３は、電子機器５が記録装置として機能するようにその機能を設定し（切り替えて）、この記録指示を記録制御部２５に送信する。記録制御部２５は、この記録指示を受信すると、Ｓ１３にて圧縮された追加情報を追加データ保存領域１０３ｄに記録する。その後、実施の形態１のＳ１５およびＳ１６と同様の処理が行われる。
【０３３４】
Ｓ１６において、編集制御部２９は、並べ替えが完了した旨を機能切替部３３に通知する。機能切替部３３は、この通知を受けると、この並べ替えられた抽出情報（編集データ）を抽出データ保存領域１０３ｃに記録するための記録指示を記録制御部２５に送信する。Ｓ１７において、記録制御部２５は、この記録指示を受信することで、この抽出情報を抽出データ保存領域１０３ｃの所定の位置に記録する。その後、実施の形態１のＳ１８と同様の処理が行われる。
【０３３５】
Ｓ１８において、編集制御部２９が、Ｓ１８における判定結果を機能切替部３３に通知し、機能切替部３３は、この通知を受けると、検索履歴情報を検索履歴記録領域１０３ｂに記録するための記録指示を記録制御部２５に送信する。Ｓ１９において、記録制御部２５は、この記録指示を受信することで、この検索履歴情報を検索履歴記録領域１０３ｂに記録し、図６に示す処理が終了する。
【０３３６】
（図７に示す処理）
図７では、Ｓ３１において、検索制御部２８が検索条件の入力を受け付けると、検索履歴記録領域１０３ｂから検索履歴情報を読み出すための読み出し指示を、機能切替部３３に送信する。Ｓ３２において、機能切替部３３がこの読み出し指示を再生制御部５１に送信することで、再生制御部５１は、検索履歴記録領域１０３ｂから検索履歴情報を読み出し、検索制御部２８に送信する。その後、実施の形態１のＳ３２と同様の処理が行われる。
【０３３７】
Ｓ３３でＮＯの場合、検索制御部２８は、登録データ保存領域１０３ａから検索条件を含む抽出情報を読み出すための読み出し指示を機能切替部３３に送信する。Ｓ３４において、機能切替部３３がこの読み出し指示を再生制御部５１に送信することで、再生制御部５１は、登録データ保存領域１０３ａから抽出情報を読み出し、データ解凍部２２に送信する。その後、Ｓ３５〜Ｓ３７については、実施の形態１および本実施の形態の図６と同様の処理が行われる。
【０３３８】
一方、Ｓ３３でＹＥＳの場合、検索制御部２８は、抽出データ保存領域１０３ｃに記録されている全抽出情報と、全抽出情報に対応付けられた検索履歴情報とを読み出すための読み出し指示を、機能切替部３３に送信する。Ｓ３８において、機能切替部３３がこの読み出し指示を再生制御部５１に送信することで、再生制御部５１は、抽出データ保存領域１０３ｃおよび検索履歴記録領域１０３ｂに記録された抽出情報および検索履歴情報を読み出し、検索制御部２８に送信し、実施の形態１と同様の処理を行う。その後、実施の形態１および本実施の形態の図６と同様の処理が行われる。
【０３３９】
（図８に示す処理）
図８に示すＳ６１〜Ｓ７４の処理が、本実施の形態に係る図６のＳ１〜Ｓ１４と同様に行われた後、実施の形態１と同様にＳ７５およびＳ７６の処理が行われる。なお、Ｓ７６の並べ替え処理では、実施の形態１と異なり、記録装置および再生装置間での光ディスク１００の入れ替えを必要とせず、情報の読み出しまたは記録が必要となる場合には、各部は、機能切替部３３にその情報や読み出し指示もしくは記録指示を送信すればよい。
【０３４０】
その後、Ｓ７７において、記録位置決定部２６は、並べ替え処理が完了すると（記録位置を決定すると）、その旨を機能切替部３３に送信する。機能切替部３３は、この通知を受けると、この並べ替え処理後の抽出情報（編集データ）と、当該抽出情報（もしくは最も内周側に記録される抽出情報）の記録位置を示す位置情報と抽出データ保存領域１０３ｃに記録するための記録指示を記録制御部２５に送信する。そして、記録制御部２５は、記録制御部２５は、この記録指示を受信することで、この抽出情報を抽出データ保存領域１０３ｃの所定の位置に記録する。
【０３４１】
一方、Ｓ７５でＮＯの場合、記録位置決定部２６は、その旨を機能切替部３３に通知する。機能切替部３３は、抽出情報に対応付けられている検索履歴情報（「記録番号」）に対応する位置に、抽出情報を記録するための記録指示を記録制御部２５に送信する。記録制御部２５は、この記録指示を受信することで、この抽出情報を抽出データ保存領域１０３ｃの所定の位置に記録する。
【０３４２】
Ｓ７６の処理後またはＳ７５でＮＯの場合には、実施の形態１と同様のＳ７８の処理が行われる。
【０３４３】
（図１５に示す処理）
図１５に示すＳ１２１で「過去検索結果利用」の場合、検索制御部２８は、過去に検索履歴記録領域１０３ｂに記録された検索履歴情報（過去検索条件および編集履歴（図５に示す「抽出項目」））を当該領域から読み出すための読み出し指示を、機能切替部３３に送信する。Ｓ１２７において、機能切替部３３がこの読み出し指示を再生制御部５１に送信することで、再生制御部５１は、検索履歴記録領域１０３ｂに記録された検索履歴情報を読み出し、検索制御部２８に送信する。その後、Ｓ１２８およびＳ１２９の処理が行われる。
【０３４４】
次に、Ｓ１２９で「ＯＫ」の場合、鍵照合制御部３２は、その旨を検索制御部２８に通知する。検索制御部２８は、この通知を受けると、Ｓ１２８にて選択された検索条件および編集履歴を機能切替部３３に送信する。Ｓ１３０において、機能切替部３３は、これらの情報を受信すると、当該情報に対応付けられた抽出情報（選択データ）を抽出データ保存領域１０３ｃから読み出すための読み出し指示を再生制御部５１に送信する。再生制御部５１は、この読み出し指示を受信すると、抽出情報を抽出データ保存領域１０３ｃから読み出す。
【０３４５】
その他の処理については、実施の形態１および本実施の形態の図６と同様の処理を行うので、ここではその説明を省略する。
【０３４６】
（図１６に示す処理）
図１６に示すＳ１５８で「ＯＫ」の場合、抽出データ保存領域１０３ｃに記録されている全抽出情報と、全抽出情報に対応付けられた検索履歴情報とを読み出すための読み出し指示を、機能切替部３３に送信して、本実施の形態の図７に示すＳ３８と同様の処理を行う。その他の処理については、実施の形態１および本実施の形態の図１５と同様であるので、ここではその説明を省略する。
【０３４７】
（図１７に示す処理）
Ｓ１９９において、鍵情報付与部３１は、編集後の抽出情報に対して鍵情報を付与し、その旨を機能切替部３３に送信する。機能切替部３３は、この通知を受けると、並べ替え処理後の抽出情報と、当該抽出情報（もしくは最も内周側に記録される抽出情報）の記録位置を示す位置情報とを抽出データ保存領域１０３ｃに記録するための記録指示を、記録制御部２５に送信する。Ｓ２００において、記録制御部２５は、この記録指示を受信すると、並べ替え処理後の抽出情報を抽出データ保存領域１０３ｃの所定の位置に記録する。
【０３４８】
その他の処理については、実施の形態１および本実施の形態の図１５と同様であるので、ここではその説明を省略する。
【０３４９】
（図１９に示す処理）
図１９のＳ２４０において、検索制御部２８は、検索条件の入力を受け付けると、登録データ保存領域１０３ａに記録されている登録情報の例えば「項目２」および「項目３」を読み出すための読み出し指示を、機能切替部３３に送信する。機能切替部３３がこの読み出し指示を再生制御部５１に送信することで、再生制御部５１は、上記２つの項目を読み出し、検索制御部２８に送信する。その後、Ｓ２４１の処理が行われる。
【０３５０】
Ｓ２４２において、検索制御部２８は、選択された抽出情報を示す操作信号を操作装置３から受信すると、登録データ保存領域１０３ａから当該抽出情報を読み出すための読み出し指示を、機能切替部３３に送信する。機能切替部３３がこの読み出し指示を再生制御部５１に送信することで、再生制御部５１は、上記抽出情報と、この抽出情報に対応付けられた検索履歴情報とを読み出し、鍵照合制御部３２に送信する。その後、Ｓ２４３の処理が行われる。
【０３５１】
その他の処理については、実施の形態１および本実施の形態の図８、図１５と同様であるので、ここではその説明を省略する。
【０３５２】
〔記録再生システム１０ｂにおける各装置の作用効果〕
本実施の形態に係る電子機器５（電子機器５の制御方法）は、ＲＯＭ層に記録されている情報である登録情報の少なくとも一部を抽出情報として読み出す再生制御部５１（再生制御ステップ）と、再生制御部５１が読み出した抽出情報を、ＲＥ層に記録させる記録制御部２５（記録制御ステップ）と、を備えるものである。
【０３５３】
このため、例えば検索などにより再度この抽出情報が読み出される場合には、抽出情報の集まりである登録情報が記録されているＲＯＭ層からではなく、一度読み出された抽出情報が記録されているＲＥ層から読み出すことにより、その抽出情報の読み出し（検索なども）を早く行うことができる。すなわち、例えば同じ検索条件などにより読み出される可能性（利用可能性）が高い抽出情報を、登録情報が記録されているＲＯＭ層とは別のＲＥ層に記録する（記録させる）ことができ、ひいては登録情報（抽出情報）の読み出しをより早く行うことができる。
【０３５４】
つまり、電子機器５（電子機器５の制御方法）は、光ディスク１００に記録された情報へのアクセス時間を短縮することができるという効果を奏する。
【０３５５】
その他、電子機器５において、実施の形態１および２と同様の処理が行われる場合には、その処理が奏する作用効果と同様の作用効果を奏する。
【０３５６】
〔本発明の別表現〕
なお、本発明は、以下のようにも表現できる。
【０３５７】
すなわち、本発明に係るデータベース運用システムは、情報再生専用領域と、情報記録再生可能領域とを有し、前記情報再生領域には複数のデータが収録された1以上のデータベースが予め記録された情報記録媒体を用いるデータベース運用システムであって、前記データベースに収録されたデータの内、少なくとも１以上のデータを抽出する抽出手段と、前記抽出手段で抽出されたデータを前記情報再生領域から読み出して前記記録再生可能領域に記録する複製手段と、前記情報再生領域または情報記録再生領域から読み出したデータを出力する出力手段を備える構成である。これにより、データベース収録データの内、利用効率の高いデータを情報記録再生領域に記録することで検索や抽出の速度が早くなる。
【０３５８】
また、本発明に係るデータベース運用システムは、前記情報記録再生可能領域に追加データ記録領域が設けられ、前記データベースにデータの新規追加が可能であることが好ましい。これにより、データベースへのデータの追加が可能になる。
【０３５９】
また、本発明に係るデータベース運用システムは、前記抽出手段は、利用者による選択手段を含むことが好ましい。これにより、利用者の目的に合わせたデータの管理が容易になる。
【０３６０】
また、本発明に係るデータベース運用システムは、前記抽出手段は、利用者により１回以上検索されたデータを対象とし、かつ、前記情報記録媒体のデータを検索する際には、前記情報記録再生可能領域、前記情報再生可能領域の順番で検索されることが好ましい。これにより、２回目以降のアクセスが早くなる。
【０３６１】
また、本発明に係るデータベース運用システムは、前記利用者により検索された回数が多いデータから順に並べ変えて前記情報記録再生可能領域に複製することが好ましい。これにより、アクセス頻度の高いデータほど前にくるので検索が早くなる。
【０３６２】
また、本発明に係るデータベース運用システムは、前記データベースが圧縮された状態で前記情報再生専用領域に記録されていることが好ましい。これにより、再生専用領域に収納可能なデータが多くなる。
【０３６３】
また、本発明に係るデータベース運用システムは、前記圧縮されたデータベースを解凍するためのプログラムが前記情報再生専用領域に記録されていることが好ましい。これにより、解凍プログラムを別入手する必要が無く、１枚のディスクで管理・持ち運びできる。
【０３６４】
また、本発明に係るデータベース運用システムは、前記圧縮されたデータベースを解凍するためのプログラムを前記情報記録再生可能領域に記録することが好ましい。これにより、１枚のディスクで管理・持ち運びできる。
【０３６５】
また、本発明に係るデータベース運用システムは、前記情報記録再生可能領域には、非圧縮の状態でデータを記録することが好ましい。これにより、解凍のプロセスが必要ないので、データへのアクセスが早くなる。
【０３６６】
また、本発明に係るデータベース運用システムは、前記情報記録媒体が光ディスクであり、前記情報再生専用領域として再生専用領域を有し、前記情報記録再生可能領域として書き換え可能領域を有することが好ましい。これにより、可搬性に優れ、媒体の価格が安い。
【０３６７】
また、本発明に係るデータベース運用システムは、前記データベースに収録されるデータが、氏名情報、企業名情報、住所情報、電話番号情報、Ｅメールアドレス情報の何れかであることが好ましい。これにより、データ検索の早い顧客データベースが実現できる。
【０３６８】
〔補足〕
最後に、記録装置１および１ａの各ブロック、特に制御部１３および１３ａのデータ解凍部２２、保存制御部２３、データ圧縮部２４、記録制御部２５、記録位置決定部２６、送受信部２７、検索制御部２８、編集制御部２９、表示制御部３０、鍵情報付与部３１および鍵照合制御部３２は、ハードウェアロジックによって構成してもよいし、次のようにＣＰＵを用いてソフトウェアによって実現してもよい。同様に、再生装置２および２ａの各ブロック、特に制御部４３および４３ａの再生制御部５１、データ解凍部５３、保存制御部５４、データ圧縮部５５、記録位置決定部５６、送受信部５７、検索制御部５８、編集制御部５９、表示制御部６０、鍵情報付与部６１および鍵照合制御部６２は、ハードウェアロジックによって構成してもよいし、次のようにＣＰＵを用いてソフトウェアによって実現してもよい。また、電子機器５の各ブロック、特に制御部１３０のデータ解凍部２２、保存制御部２３、データ圧縮部２４、記録制御部２５、記録位置決定部２６、検索制御部２８、編集制御部２９、表示制御部３０、鍵情報付与部３１、鍵照合制御部３２、機能切替部３３、操作取得部３４および再生制御部５１は、ハードウェアロジックによって構成してもよいし、次のようにＣＰＵを用いてソフトウェアによって実現してもよい。
【０３６９】
すなわち、記録装置１、１ａ、再生装置２、２ａおよび電子機器５は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアである記録装置１、１ａ、再生装置２、２ａおよび電子機器５の制御プログラムのプログラムコード（実行形式プログラム、中間コードプログラム、ソースプログラム）をコンピュータで読み取り可能に記録した記録媒体を、前記記録装置１、１ａ、再生装置２、２ａおよび電子機器５に供給し、そのコンピュータ（又はＣＰＵやＭＰＵ）が記録媒体に記録されているプログラムコードを読み出し実行することによっても、達成可能である。
【０３７０】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０３７１】
また、記録装置１、１ａ、再生装置２、２ａおよび電子機器５を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０３７２】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０３７３】
例えば、記録再生システムが、記録装置１ａ（情報記録媒体に対する情報の記録制御機能のみ有する構成）および再生装置２（情報記録媒体に対する情報の再生制御機能のみ有する構成）を備える場合には、記録装置１ａおよび再生装置２とは異なる、制御部１３および４３ａを備える電子機器を別途備える構成であってもよい。この場合、電子機器は、記録装置１ａ、再生装置２、操作装置３および表示装置４と通信可能な構成であり、光ディスク１００に対して抽出情報や検索履歴情報などの記録または再生を行うたびに、記録装置１ａまたは再生装置２に記録指示または読み出し指示を与えるものとする。また、操作装置３または表示装置４が電子機器の制御部１３および４３ａを備える構成であってもよい。同様に、電子機器５が記録制御部２５および再生制御部５１の機能のみを有しており、その他の機能については、電子機器５とは異なる他の電子機器が備える構成であってもよい。
【０３７４】
また、例えば図６のＳ１０における編集処理（編集制御部２９の処理）や、図８のＳ７６における並べ替え処理（記録位置決定部２６の処理）は、記憶部１４（バッファ）上にて行われるものとして説明したが、これに限られたものではない。すなわち、上記バッファとして機能するものであればよく、例えば記憶部４４、他の装置（操作装置３、表示装置４またはこれらとは異なる電子機器）の記憶部であってもよく、また、光ディスク１００のＲＥ層の一部をバッファ領域として利用する構成であってもよい。
【０３７５】
さらに、各実施の形態では、記録装置１、１ａおよび再生装置２、２ａが光情報記録媒体に対して処理を行うものとして説明するが、これに限らず、例えば情報記録媒体が磁気ディスクの場合には、磁気記録装置または磁気再生装置がそれぞれ記録装置１、１ａまたは再生装置２、２ａの機能を有する構成であってもよい。同様に、電子機器５は、例えば情報記録媒体として磁気ディスクを扱う場合には、磁気記録装置および磁気再生装置としての機能を有する構成であってもよい。
【産業上の利用可能性】
【０３７６】
本発明は、情報記録媒体に記録された情報へのアクセス時間を短縮することができるので、情報記録媒体にアクセスする電気機器、特に記録装置（レコーダー）、再生装置（プレーヤー）、これら装置の機能を兼ね備えた電子機器（記録再生装置）などに好適である。
【符号の説明】
【０３７７】
１、１ａ  記録装置
２、２ａ  再生装置
１０、１０ａ  記録再生システム
２２    データ解凍部（解凍手段）
２５    記録制御部（記録制御手段）
２６    記録位置決定部（決定手段）
２７    送受信部（受信手段）
３１    鍵情報付与部（鍵情報付与手段）
５１    再生制御部（再生制御手段）
５３    データ解凍部（解凍手段）
５６    記録位置決定部（決定手段）
５７    送受信部（送信手段）
６１    鍵情報付与部（鍵情報付与手段）
１００  光ディスク（情報記録媒体、光情報記録媒体）
１０２  リードイン領域
【図１】
2011113582.tif 000003
【図２】
2011113582.tif 000004
【図３】
2011113582.tif 000005
【図４】
2011113582.tif 000006
【図５】
2011113582.tif 000007
【図６】
2011113582.tif 000008
【図７】
2011113582.tif 000009
【図８】
2011113582.tif 000010
【図９】
2011113582.tif 000011
【図１０】
2011113582.tif 000012
【図１１】
2011113582.tif 000013
【図１２】
2011113582.tif 000014
【図１３】
2011113582.tif 000015
【図１４】
2011113582.tif 000016
【図１５】
2011113582.tif 000017
【図１６】
2011113582.tif 000018
【図１７】
2011113582.tif 000019
【図１８】
2011113582.tif 000020
【図１９】
2011113582.tif 000021
【図２０】
2011113582.tif 000022
【図２１】
2011113582.tif 000023
【図２２】
2011113582.tif 000024
【図２３】
2011113582.tif 000025